(57)【要約】【課題】解像度の高い表示装置を提供する。表示品位の高い表示装置を提供する。【解決手段】表示部、第１の端子群、及び第２の端子群を有する表示装置である。表示部は、複数の画素、複数の走査線、及び複数の信号線を有する。第１の端子群と第２の端子群とは互いに離間して設けられる。第１の端子群は、複数の第１の端子を有する。第２の端子群は、複数の第２の端子を有する。複数の走査線は、それぞれ、行方向に配置される複数の画素と電気的に接続される。複数の信号線は、それぞれ、列方向に配置される複数の画素と電気的に接続される。複数の信号線は、それぞれ、第１の端子または第２の端子と電気的に接続される。表示部は、第１の領域を有する。第１の領域は、第１の端子と電気的に接続される信号線と、第２の端子と電気的に接続される信号線と、が混在する領域である。【選択図】図１
2018124551.tif 000002
【特許請求の範囲】
【請求項１】
表示部、第１の端子群、及び第２の端子群を有し、
前記表示部は、複数の画素、複数の走査線、及び複数の信号線を有し、
前記第１の端子群と前記第２の端子群とは互いに離間して設けられ、
前記第１の端子群は、複数の第１の端子を有し、
前記第２の端子群は、複数の第２の端子を有し、
前記複数の走査線は、それぞれ、行方向に配置される前記複数の画素と電気的に接続され、
前記複数の信号線は、それぞれ、列方向に配置される前記複数の画素と電気的に接続され、
前記複数の信号線は、それぞれ、前記第１の端子または前記第２の端子と電気的に接続され、
前記表示部は、第１の領域を有し、
前記第１の領域は、前記第１の端子と電気的に接続される信号線と、前記第２の端子と電気的に接続される信号線と、が混在する領域である、表示装置。
【請求項２】
請求項１において、
前記複数の画素は、２ｎ列（ｎは２以上の整数）に配置され、
前記第１の領域は、ｎ列目の画素と電気的に接続される信号線と、ｎ＋１列目の画素と電気的に接続される信号線と、を含む、表示装置。
【請求項３】
請求項１において、
前記複数の画素は、ｎ列（ｎは３００以上の整数）に配置され、
前記第１の領域は、２本以上３００本以下の信号線を有する、表示装置。
【請求項４】
請求項１において、
前記複数の画素は、ｍ行ｎ列（ｍ及びｎはそれぞれ２以上の整数）に配置され、
前記表示部は、２ｎ本の信号線を有し、
奇数行ｊ列目（ｊは１以上ｎ以下の整数）の画素と偶数行ｊ列目の画素とは、互いに異なる信号線と電気的に接続される、表示装置。
【請求項５】
請求項４において、
ｉ−１行ｊ列目（ｉは１以上ｍ以下の整数）の画素は、前記第１の端子と電気的に接続される信号線と電気的に接続され、
ｉ行ｊ列目の画素は、前記第２の端子と電気的に接続される信号線と電気的に接続される、表示装置。
【請求項６】
請求項１乃至５のいずれか一において、
前記第１の領域は、前記第１の端子と電気的に接続される信号線と、前記第２の端子と電気的に接続される信号線と、が、１本おきまたは複数本おきに交互に配置される領域である、表示装置。
【請求項７】
表示部、第１の端子群、及び第２の端子群を有し、
前記表示部は、複数の画素、複数の走査線、複数の第１の信号線、及び複数の第２の信号線を有し、
前記第１の端子群と前記第２の端子群とは互いに離間して設けられ、
前記第１の端子群は、複数の第１の端子を有し、
前記第２の端子群は、複数の第２の端子を有し、
前記複数の走査線は、それぞれ、行方向に配置される前記複数の画素と電気的に接続され、
前記複数の第１の信号線及び前記複数の第２の信号線は、それぞれ、列方向に配置される前記複数の画素と電気的に接続され、
前記複数の第１の信号線は、それぞれ、前記複数の第１の端子の１つと電気的に接続され、
前記複数の第２の信号線は、それぞれ、前記複数の第２の端子の１つと電気的に接続され、
前記表示部は、第１の領域を有し、
前記第１の領域では、前記複数の第１の信号線の１本が、前記複数の第２の信号線の２本の間に位置する、表示装置。
【請求項８】
請求項７において、
前記複数の画素は、２ｎ列（ｎは２以上の整数）に配置され、
前記第１の領域は、ｎ列目の画素と、ｎ＋１列目の画素と、を含む、表示装置。
【請求項９】
請求項７において、
前記複数の画素は、ｎ列（ｎは３００以上の整数）に配置され、
前記第１の領域が有する前記複数の第１の信号線と前記複数の第２の信号線の和は、２本以上３００本以下である、表示装置。
【請求項１０】
請求項７において、
前記複数の画素は、ｍ行ｎ列（ｍ及びｎはそれぞれ２以上の整数）に配置され、
前記表示部が有する前記複数の第１の信号線と前記複数の第２の信号線の和は、２ｎ本であり、
奇数行ｊ列目（ｊは１以上ｎ以下の整数）の画素と偶数行ｊ列目の画素のうち一方は、それぞれ、前記複数の第１の信号線の１本と電気的に接続され、他方は、それぞれ、前記複数の第２の信号線の１本と電気的に接続される、表示装置。
【請求項１１】
請求項１０において、
ｉ−１行ｊ列目（ｉは１以上ｍ以下の整数）の画素は、前記複数の第１の信号線の１本と電気的に接続され、
ｉ行ｊ列目の画素は、前記複数の第２の信号線の１本と電気的に接続される、表示装置。
【請求項１２】
請求項７乃至１１のいずれか一において、
前記第１の領域は、前記複数の第１の信号線と、前記複数の第２の信号線と、が、１本おきまたは複数本おきに交互に配置される領域である、表示装置。
【請求項１３】
請求項１乃至１２のいずれか一において、
前記表示部は、第２の領域及び第３の領域を有し、
前記第２の領域と前記第３の領域は、前記第１の領域を挟んで設けられ、
前記第２の領域が有する信号線は、それぞれ、前記第１の端子と電気的に接続され、
前記第３の領域が有する信号線は、それぞれ、前記第２の端子と電気的に接続される、表示装置。
【請求項１４】
請求項１乃至１３のいずれか一において、
前記画素は、表示素子と、前記表示素子と電気的に接続されるトランジスタと、を有し、
前記表示素子は、液晶素子または発光素子である、表示装置。
【請求項１５】
請求項１４において、
前記トランジスタの半導体層は、非晶質シリコンを含む、表示装置。
【請求項１６】
請求項１４において、
前記トランジスタの半導体層は、金属酸化物を含む、表示装置。
【請求項１７】
請求項１乃至１６のいずれか一において、
前記表示部は、対角５０インチ以上である、表示装置。
【請求項１８】
請求項１乃至１７のいずれか一において、
前記表示部は、４Ｋ以上の解像度を有する、表示装置。
【請求項１９】
請求項１乃至１８のいずれか一に記載の表示装置と、第１の信号線駆動回路と、第２の信号線駆動回路と、を有し、
前記第１の信号線駆動回路は、前記第１の端子群と電気的に接続され、
前記第２の信号線駆動回路は、前記第２の端子群と電気的に接続される、表示モジュール。
【請求項２０】
請求項１９において、
さらに、第１の基準電圧生成回路と、第２の基準電圧生成回路と、を有し、
前記第１の基準電圧生成回路は、前記第１の信号線駆動回路と電気的に接続され、
前記第２の基準電圧生成回路は、前記第２の信号線駆動回路と電気的に接続される、表示モジュール。
【請求項２１】
請求項１９または２０に記載の表示モジュールと、
アンテナ、バッテリ、筐体、カメラ、スピーカ、マイク、または操作ボタンの少なくともいずれか一と、を有する、電子機器。
【発明の詳細な説明】
【技術分野】
【０００１】
本発明の一態様は、表示装置、表示モジュール、及び電子機器に関する。
【０００２】
なお、本発明の一態様は、上記の技術分野に限定されない。本発明の一態様の技術分野としては、半導体装置、表示装置、発光装置、電子機器、照明装置、入出力装置（例えば、タッチパネルなど）、それらの駆動方法、またはそれらの製造方法を一例として挙げることができる。
【０００３】
なお、本明細書等において、半導体装置とは、半導体特性を利用することで機能しうる装置全般を指す。表示装置（液晶表示装置、発光表示装置など）、投影装置、照明装置、電気光学装置、蓄電装置、記憶装置、半導体回路、撮像装置、及び電子機器などは、半導体装置といえる場合がある。もしくは、これらは半導体装置を有するといえる場合がある。
【背景技術】
【０００４】
近年、解像度の高い表示装置が求められている。例えば、フルハイビジョン（画素数１９２０×１０８０）、４Ｋ（画素数３８４０×２１６０もしくは４０９６×２１６０等）、さらには８Ｋ（画素数７６８０×４３２０もしくは８１９２×４３２０等）といった画素数の多い表示装置が盛んに開発されている。
【０００５】
表示装置としては、液晶表示装置や発光表示装置に代表されるフラットパネルディスプレイが広く用いられている。これらの表示装置を構成するトランジスタの半導体材料には主にシリコンが用いられているが、近年、金属酸化物を用いたトランジスタを表示装置の画素に用いる技術も開発されている。
【０００６】
特許文献１には、トランジスタの半導体材料に非晶質シリコンを用いる技術が開示されている。特許文献２及び特許文献３には、トランジスタの半導体材料に金属酸化物を用いる技術が開示されている。
【先行技術文献】
【特許文献】
【０００７】
【特許文献１】特開２００１−５３２８３号公報
【特許文献２】特開２００７−１２３８６１号公報
【特許文献３】特開２００７−９６０５５号公報
【発明の概要】
【発明が解決しようとする課題】
【０００８】
非晶質シリコンや金属酸化物を用いたトランジスタは、多結晶シリコンを用いたトランジスタ等に比べ、生産性が高く、大型の基板で作製しやすいといった利点がある。一方、非晶質シリコンや金属酸化物を用いたトランジスタは、多結晶シリコンを用いたトランジスタに比べ電界効果移動度を高くすることが困難であり、トランジスタに接続される負荷が大きい場合には、高い駆動周波数で動作させることが難しい場合がある。
【０００９】
テレビジョン装置（テレビ、またはテレビジョン受信機ともいう）、モニタ装置、及びデジタルサイネージなどの用途において、大画面化が求められている。また、滑らかな動画表示を行うために、フレーム周波数を高めることが求められている。しかしながら、解像度が高いほど、または画面サイズが大きいほど、負荷の増大が顕著となり、高いフレーム周波数で動作させることが困難である。
【００１０】
本発明の一態様は、解像度の高い表示装置を提供することを課題の一とする。本発明の一態様は、高いフレーム周波数で動作可能な表示装置を提供することを課題の一とする。本発明の一態様は、大型の表示装置を提供することを課題の一とする。本発明の一態様は、生産性の高い表示装置を提供することを課題の一とする。本発明の一態様は、表示品位の高い表示装置を提供することを課題の一とする。
【００１１】
なお、これらの課題の記載は、他の課題の存在を妨げるものではない。本発明の一態様は、必ずしも、これらの課題の全てを解決する必要はないものとする。明細書、図面、請求項の記載から、これら以外の課題を抽出することが可能である。
【課題を解決するための手段】
【００１２】
［１］本発明の一態様は、表示部、第１の端子群、及び第２の端子群を有する表示装置である。表示部は、複数の画素、複数の走査線、及び複数の信号線を有する。第１の端子群と第２の端子群とは互いに離間して設けられる。第１の端子群は、複数の第１の端子を有する。第２の端子群は、複数の第２の端子を有する。複数の走査線は、それぞれ、行方向に配置される複数の画素と電気的に接続される。複数の信号線は、それぞれ、列方向に配置される複数の画素と電気的に接続される。複数の信号線は、それぞれ、第１の端子または第２の端子と電気的に接続される。表示部は、第１の領域を有する。第１の領域は、第１の端子と電気的に接続される信号線と、第２の端子と電気的に接続される信号線と、が混在する領域である。第１の端子と電気的に接続される信号線を第１の信号線と呼び、第２の端子と電気的に接続される信号線を第２の信号線と呼ぶ場合、例えば、第１の領域では、複数の第１の信号線の１本が、複数の第２の信号線の２本の間に位置する。
【００１３】
上記［１］において、複数の画素は、２ｎ列（ｎは２以上の整数）に配置されていてもよい。このとき、第１の領域は、ｎ列目の画素と電気的に接続される信号線と、ｎ＋１列目の画素と電気的に接続される信号線と、を含むことが好ましい。
【００１４】
または、上記［１］において、複数の画素は、ｎ列（ｎは３００以上の整数）に配置されていてもよい。このとき、第１の領域は、２本以上３００本以下の信号線を有することが好ましい。言い換えると、第１の領域が有する第１の信号線と第２の信号線の和は、２本以上３００本以下であることが好ましい。
【００１５】
または、上記［１］において、複数の画素は、ｍ行ｎ列（ｍ及びｎはそれぞれ２以上の整数）に配置され、表示部は、２ｎ本の信号線を有していてもよい。このとき、奇数行ｊ列目（ｊは１以上ｎ以下の整数）の画素と偶数行ｊ列目の画素とは、互いに異なる信号線と電気的に接続されることが好ましい。また、ｉ−１行ｊ列目（ｉは１以上ｍ以下の整数）の画素は、第１の端子と電気的に接続される信号線と電気的に接続されることが好ましく、ｉ行ｊ列目の画素は、第２の端子と電気的に接続される信号線と電気的に接続されることが好ましい。
【００１６】
上記各構成において、第１の領域では、第１の端子と電気的に接続される信号線と、第２の端子と電気的に接続される信号線とが規則的に配置されていてもよい。例えば、第１の領域は、第１の端子と電気的に接続される信号線と、第２の端子と電気的に接続される信号線と、が、１本おきまたは複数本おきに交互に配置される領域であることが好ましい。
【００１７】
上記各構成において、表示部は、第２の領域及び第３の領域を有していてもよい。このとき、第２の領域と第３の領域は、第１の領域を挟んで設けられる。第２の領域が有する信号線は、それぞれ、第１の端子と電気的に接続される。第３の領域が有する信号線は、それぞれ、第２の端子と電気的に接続される。
【００１８】
上記各構成において、画素は、表示素子と、表示素子と電気的に接続されるトランジスタと、を有していてもよい。表示素子は、液晶素子または発光素子であることが好ましい。トランジスタの半導体層は、非晶質シリコンを含むことが好ましい。または、トランジスタの半導体層は、金属酸化物を含むことが好ましい。
【００１９】
上記各構成において、表示部は、例えば、対角５０インチ以上、対角５５インチ以上、対角６０インチ以上、または対角６５インチ以上とすることができる。
【００２０】
上記各構成において、表示部は、４Ｋ以上の解像度を有することが好ましく、８Ｋ以上の解像度を有することがさらに好ましい。
【００２１】
［２］本発明の一態様は、上記構成のいずれかの表示装置と、第１の信号線駆動回路と、第２の信号線駆動回路と、を有する表示モジュールである。第１の信号線駆動回路は、第１の端子群と電気的に接続され、第２の信号線駆動回路は、第２の端子群と電気的に接続される。
【００２２】
上記［２］において、表示モジュールは、さらに、第１の基準電圧生成回路と、第２の基準電圧生成回路と、を有することが好ましい。第１の基準電圧生成回路は、第１の信号線駆動回路と電気的に接続される。第２の基準電圧生成回路は、第２の信号線駆動回路と電気的に接続される。
【００２３】
なお、本明細書等では、表示装置の基板に、フレキシブルプリント基板（Ｆｌｅｘｉｂｌｅ  Ｐｒｉｎｔｅｄ  Ｃｉｒｃｕｉｔ、以下、ＦＰＣと記す）もしくはＴＣＰ（Ｔａｐｅ  Ｃａｒｒｉｅｒ  Ｐａｃｋａｇｅ）などのコネクターが取り付けられたもの、または基板にＣＯＧ（Ｃｈｉｐ  Ｏｎ  Ｇｌａｓｓ）方式等によりＩＣが実装されたものを、表示モジュールと記す。
【００２４】
［３］本発明の一態様は、上記構成のいずれかの表示モジュールと、アンテナ、バッテリ、筐体、カメラ、スピーカ、マイク、または操作ボタンの少なくともいずれか一と、を有する、電子機器である。
【発明の効果】
【００２５】
本発明の一態様により、高解像度な表示装置を提供できる。本発明の一態様により、高いフレーム周波数で動作可能な表示装置を提供できる。本発明の一態様により、大型の表示装置を提供できる。本発明の一態様により、生産性の高い表示装置を提供できる。本発明の一態様により、表示品位の高い表示装置を提供できる。
【００２６】
なお、これらの効果の記載は、他の効果の存在を妨げるものではない。本発明の一態様は、必ずしも、これらの効果の全てを有する必要はない。明細書、図面、請求項の記載から、これら以外の効果を抽出することが可能である。
【図面の簡単な説明】
【００２７】
【図１】表示モジュールを説明する図。
【図２】表示モジュールを説明する図。
【図３】表示モジュールを説明する図。
【図４】表示モジュールを説明する図。
【図５】表示モジュールを説明する図。
【図６】表示モジュールを説明する図。
【図７】表示モジュールを説明する図。
【図８】表示モジュールを説明する図。
【図９】表示モジュールを説明する図。
【図１０】表示モジュールを説明する図。
【図１１】表示モジュールを説明する図。
【図１２】表示モジュールを説明する図。
【図１３】表示モジュールを説明する図。
【図１４】表示モジュールを説明する図。
【図１５】表示モジュールを説明する図。
【図１６】画素の構成例を説明する図。
【図１７】画素回路の構成例を説明する図。
【図１８】表示装置の構成例を説明する図。
【図１９】表示装置の構成例を説明する図。
【図２０】表示装置の構成例を説明する図。
【図２１】表示装置の構成例を説明する図。
【図２２】トランジスタの構成例を説明する図。
【図２３】トランジスタの構成例を説明する図。
【図２４】トランジスタの構成例を説明する図。
【図２５】レーザ照射方法及びレーザ結晶化装置を説明する図。
【図２６】レーザ照射方法を説明する図。
【図２７】電子機器の一例を示す図。
【図２８】（Ａ）テレビジョン装置を説明する図。（Ｂ）ニューラルネットワークを説明する図。
【発明を実施するための形態】
【００２８】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。
【００２９】
なお、以下に説明する発明の構成において、同一部分または同様な機能を有する部分には同一の符号を異なる図面間で共通して用い、その繰り返しの説明は省略する。また、同様の機能を指す場合には、ハッチパターンを同じくし、特に符号を付さない場合がある。
【００３０】
また、図面において示す各構成の、位置、大きさ、範囲などは、理解の簡単のため、実際の位置、大きさ、範囲などを表していない場合がある。このため、開示する発明は、必ずしも、図面に開示された位置、大きさ、範囲などに限定されない。
【００３１】
なお、「膜」という言葉と、「層」という言葉とは、場合によっては、または、状況に応じて、互いに入れ替えることが可能である。例えば、「導電層」という用語を、「導電膜」という用語に変更することが可能である。または、例えば、「絶縁膜」という用語を、「絶縁層」という用語に変更することが可能である。
【００３２】
本明細書等において、金属酸化物（ｍｅｔａｌ  ｏｘｉｄｅ）とは、広い表現での金属の酸化物である。金属酸化物は、酸化物絶縁体、酸化物導電体（透明酸化物導電体を含む）、酸化物半導体（Ｏｘｉｄｅ  Ｓｅｍｉｃｏｎｄｕｃｔｏｒまたは単にＯＳともいう）などに分類される。例えば、トランジスタの半導体層に金属酸化物を用いた場合、当該金属酸化物を酸化物半導体と呼称する場合がある。つまり、ＯＳ  ＦＥＴと記載する場合においては、金属酸化物または酸化物半導体を有するトランジスタと換言することができる。
【００３３】
また、本明細書等において、窒素を有する金属酸化物も金属酸化物（ｍｅｔａｌ  ｏｘｉｄｅ）と総称する場合がある。また、窒素を有する金属酸化物を、金属酸窒化物（ｍｅｔａｌ  ｏｘｙｎｉｔｒｉｄｅ）と呼称してもよい。
【００３４】
（実施の形態１）
本実施の形態では、本発明の一態様の表示装置及び表示モジュールについて図１〜図２４を用いて説明する。
【００３５】
本発明の一態様は、表示部、第１の端子群、及び第２の端子群を有する表示装置である。表示部は、複数の画素、複数の走査線、及び複数の信号線を有する。第１の端子群と第２の端子群とは互いに離間して設けられる。第１の端子群は、複数の第１の端子を有する。第２の端子群は、複数の第２の端子を有する。複数の走査線は、それぞれ、行方向に配置される複数の画素と電気的に接続される。複数の信号線は、それぞれ、列方向に配置される複数の画素と電気的に接続される。複数の信号線は、それぞれ、第１の端子または第２の端子と電気的に接続される。表示部は、第１の領域を有する。第１の領域は、第１の端子と電気的に接続される信号線と、第２の端子と電気的に接続される信号線と、が混在する領域である。
【００３６】
また、本発明の一態様は、上記構成の表示装置と、第１の信号線駆動回路と、第２の信号線駆動回路と、第１の基準電圧生成回路と、第２の基準電圧生成回路と、を有する表示モジュールである。第１の信号線駆動回路は、第１の端子群と電気的に接続される。第２の信号線駆動回路は、第２の端子群と電気的に接続される。第１の基準電圧生成回路は、第１の信号線駆動回路と電気的に接続される。第２の基準電圧生成回路は、第２の信号線駆動回路と電気的に接続される。
【００３７】
高解像度で大型の表示モジュールに、電界効果移動度の低いトランジスタを用いる場合、フレーム期間中に画像の書き換え動作が間に合わず、駆動できないことがある。そこで、表示部を複数の領域に分断し、それぞれに走査線駆動回路（ゲートドライバともいう）及び信号線駆動回路（ソースドライバともいう）を電気的に接続する構成を適用することができる。このような構成は、複数の領域で同時に画像を書き換えることで、電界効果移動度の低いトランジスタを適用した場合でも、フレーム期間中の画像の書き換えを実現できる。
【００３８】
また、例えば、表示モジュールの解像度が８Ｋである場合、表示部を４分割することで、１つの領域の解像度は４Ｋとなる。そのため、４Ｋの表示モジュール用のＩＣチップ（単にＩＣともいう）及びプリント基板（ＰＣＢ（Ｐｒｉｎｔｅｄ  Ｃｉｒｃｕｉｔ  Ｂｏａｒｄ）ともいう）を複数用いて、１つの８Ｋの表示モジュールを駆動させることができる。つまり、４Ｋの表示モジュール用のＩＣ及びプリント基板などを転用可能であり、また、低解像度の表示モジュールに係る技術の有効利用が可能である。
【００３９】
しかしながら、各基準電圧生成回路で生成される基準電圧を完全に一致させることは難しく、信号線駆動回路に供給される基準電圧に差が生じやすい。その差が原因で、各信号線駆動回路から信号線に供給される信号にばらつきが生じることがある。例えば、２つの領域で同じ階調を表現する場合、信号線に供給される電位に差が生じることで、異なる輝度で表示が行われ、２つの領域の境界が分割縞として観察者に認識されてしまうことがある。
【００４０】
そこで、本発明の一態様の表示モジュールでは、表示部の分割された２つの領域の間に、第１の信号線駆動回路と電気的に接続される信号線と、第２の信号線駆動回路と電気的に接続される信号線と、が混在する領域を設ける。当該領域では、２つの信号線駆動回路に供給される基準電圧が平均化される。つまり、当該領域は、２つの領域の輝度が平均化された領域になる。そのため、２つの領域の間に当該領域を設けることで、分割縞を見えにくくすることができる。したがって、表示モジュールの表示品位の低下を抑制できる。
【００４１】
本明細書等において、信号線ｘと信号線ｙが混在する領域における、信号線ｘと信号線ｙが配置される順序は、規則的であってもよく、不規則であってもよい。例えば、信号線ｘと信号線ｙが１本おきまたは複数本おきに交互に配置されていてもよい。また、２本の信号線ｙの間に配置される信号線ｘの本数が段階的に変化する領域、２本の信号線ｘの間に配置される信号線ｙの本数が段階的に変化する領域などを設けてもよい（グラデーションともいえる）。また、本発明の一態様の表示装置が有する信号線ｘと信号線ｙの本数は、同数であることが好ましい。
【００４２】
また、本発明の一態様の表示装置は、第１の端子と電気的に接続される信号線と、第２の端子と電気的に接続される信号線と、が混在する領域を有する。そのため、第１の端子群に電気的に接続される信号線駆動回路と、第２の端子群に電気的に接続される信号線駆動回路とが、異なる基準電圧生成回路と電気的に接続されていた場合であっても、分割縞を見えにくくすることができる。したがって、表示装置の表示品位の低下を抑制できる。
【００４３】
＜１−１．表示モジュールの構成例１＞
図１〜図５を用いて本発明の一態様の表示モジュールの構成例について説明する。
【００４４】
図１に、本発明の一態様の表示モジュールの上面図を示す。
【００４５】
図１に示す表示モジュールは、表示装置１００（表示パネルともいう）を有する。表示装置１００は、第１の基板１１１と第２の基板１１３によって封止された領域に、表示部１０１、走査線駆動回路１０２、及び走査線駆動回路１０３を有する。表示部１０１は、領域１０１ａ、領域１０１ｂ、及び領域１１０を有する。
【００４６】
第１の基板１１１と第２の基板１１３によって封止された領域とは異なる領域において、第１の基板１１１には４つのＦＰＣ１６２が接続されている。各ＦＰＣ１６２には、ＣＯＦ（Ｃｈｉｐ  Ｏｎ  Ｆｉｌｍ）方式によって、ＩＣが接続されている。ＩＣ１６０ａ、ＩＣ１６０ｂ、ＩＣ１６０ｃ、及びＩＣ１６０ｄは、それぞれ、信号線駆動回路を有する。
【００４７】
また、図１に示す表示モジュールは、２つのプリント基板（プリント基板１５０ａ及びプリント基板１５０ｂ）を有する。１つのプリント基板あたり、２つのＦＰＣ１６２が接続されており、プリント基板は、当該ＦＰＣ１６２を介して、第１の基板１１１に接続される。
【００４８】
図１では、表示装置１００の１辺に２つのプリント基板が接続されている例を示す。
【００４９】
プリント基板１５０ａには、タイミングコントローラ１５１ａ及び基準電圧生成回路１５２ａが設けられている。同様に、プリント基板１５０ｂには、タイミングコントローラ１５１ｂ及び基準電圧生成回路１５２ｂが設けられている。各プリント基板は、さらに、他の集積回路を有していてもよい。
【００５０】
タイミングコントローラ１５１ａ、１５１ｂは、クロック信号、スタートパルス信号などの信号を生成し、ＩＣが有する信号線駆動回路に、当該信号を供給する。
【００５１】
基準電圧生成回路１５２ａ、１５２ｂは、ＩＣが有する信号線駆動回路に、基準電圧を供給する。
【００５２】
図１に示す表示モジュールは、表示装置１００にＩＣ及びプリント基板が実装された構成である。本発明の一態様において、表示装置への集積回路の接続方法は、特に限定されず、ワイヤボンディング法、ＣＯＧ法、ＴＣＰ法、ＣＯＦ法などを用いることができる。また、表示装置に実装されるＩＣ及びプリント基板の数は限定されない。
【００５３】
図１に示す表示モジュールは、表示装置１００が走査線駆動回路を内蔵する構成である。本発明の一態様はこれに限定されず、信号線駆動回路と同様に、走査線駆動回路も表示装置が有する基板に外付けされていてもよい。
【００５４】
図２に、本発明の一態様の表示モジュールのブロック図を示す。
【００５５】
図２に示すように、表示部１０１は、複数の画素１１５を有する。図２では、表示部１０１が、ｍ行４ｎ列（ｍ及びｎはそれぞれ１以上の整数）のマトリクス状に配置された複数の画素１１５を有する例を示す。
【００５６】
表示装置１００は、ｍ本の走査線ＧＬを有する。ｍ本の走査線ＧＬは、それぞれ、行方向に延在する。また、ｍ本の走査線ＧＬは、それぞれ、表示部１０１において行方向に並ぶ複数の画素１１５と電気的に接続する。
【００５７】
本明細書等において、特に断りがない限り、ｉ行目（ｉは１以上ｍ以下の整数）の画素１１５と電気的に接続する走査線ＧＬを走査線ＧＬ＿ｉと示す。
【００５８】
走査線ＧＬの一端は走査線駆動回路１０２と電気的に接続され、走査線ＧＬの他端は走査線駆動回路１０３と電気的に接続される。よって、走査線駆動回路１０２と走査線駆動回路１０３は、表示部１０１を挟んで向かい合う位置に設けられている。
【００５９】
走査線駆動回路１０２及び走査線駆動回路１０３は、走査線ＧＬに選択信号を供給する機能を有する。走査線ＧＬは、走査線駆動回路１０２及び走査線駆動回路１０３から供給された選択信号を画素１１５に伝える機能を有する。
【００６０】
また、走査線駆動回路１０２及び走査線駆動回路１０３は、走査線ＧＬ＿１から走査線ＧＬ＿ｍまで順に選択信号を供給する機能を有する。言い換えると、走査線駆動回路１０２及び走査線駆動回路１０３は、走査線ＧＬ＿１乃至走査線ＧＬ＿ｍを順に走査する機能を有する。走査線ＧＬ＿ｍまで走査した後、再び走査線ＧＬ＿１から順に走査する。
【００６１】
同じ走査線ＧＬに、走査線駆動回路１０２及び走査線駆動回路１０３から同時に選択信号を供給することで、走査線ＧＬへの選択信号の供給能力を高めることができる。なお、目的などに応じて、走査線駆動回路１０２または走査線駆動回路１０３の一方を省略してもよい。
【００６２】
表示装置１００は、４ｎ本の信号線ＳＬを有する。４ｎ本の信号線ＳＬは、それぞれ、列方向に延在する。また、４ｎ本の信号線ＳＬは、それぞれ、表示部１０１において列方向に並ぶ複数の画素１１５と電気的に接続する。
【００６３】
本明細書等では、特に断りがない限り、ｊ列目（ｊは１以上４ｎ以下の整数）の画素１１５と電気的に接続する信号線ＳＬを信号線ＳＬ＿ｊと示す。
【００６４】
４ｎ本の信号線ＳＬは、それぞれ、信号線駆動回路と電気的に接続される。信号線駆動回路は、信号線ＳＬに画像信号を供給する機能を有する。信号線ＳＬは、信号線駆動回路から供給された画像信号を画素１１５に伝える機能を有する。
【００６５】
表示装置１００は、４つの端子群（端子群１３０ａ〜端子群１３０ｄ）を有し、各端子群は複数の端子（端子群１３０ａであれば、複数の端子１３５ａ）を有する。４つの端子群は、互いに離間して設けられ、それぞれ異なるＩＣと接続される。同じ端子群に含まれる複数の端子は、同じＩＣ（つまり、同じ信号線駆動回路）と電気的に接続される。１つの端子は、１本の信号線ＳＬと接続される。つまり、接続される端子が同じ端子群に含まれる複数の信号線ＳＬは、同じＩＣ（同じ信号線駆動回路）と電気的に接続される。
【００６６】
図２及び図３（Ａ）を用いて、各信号線と信号線駆動回路の接続関係について説明する。なお、図３（Ａ）は、図２に示す表示部１０１における、領域１０１ａと領域１１０の境界、領域１１０と領域１０１ｂの境界、及びこれらの近傍の構成を詳細に示す図である。各領域は、ｍ本の走査線ＧＬを有する。図３（Ａ）では、そのうちの１行目の走査線ＧＬ＿１から５行目の走査線ＧＬ＿５までを示す。
【００６７】
領域１０１ａは、１列目の信号線ＳＬ＿１から２ｎ−２列目の信号線ＳＬ＿２ｎ−２までを含む。
【００６８】
１列目の信号線ＳＬ＿１からｎ列目の信号線ＳＬ＿ｎまでは、それぞれ端子群１３０ａが有する複数の端子１３５ａのいずれか一と接続され、ＩＣ１６０ａが有する信号線駆動回路と電気的に接続される。
【００６９】
ｎ＋１列目の信号線ＳＬ＿ｎ＋１から２ｎ−２列目の信号線ＳＬ＿２ｎ−２までは、それぞれ端子群１３０ｂが有する複数の端子１３５ｂのいずれか一と接続され、ＩＣ１６０ｂが有する信号線駆動回路と電気的に接続される。
【００７０】
ＩＣ１６０ａとＩＣ１６０ｂはいずれも、タイミングコントローラ１５１ａ及び基準電圧生成回路１５２ａと電気的に接続されている。
【００７１】
つまり、領域１０１ａは、タイミングコントローラ１５１ａ及び基準電圧生成回路１５２ａと電気的に接続された信号線駆動回路から、信号線ＳＬに、画像信号が供給される領域である。
【００７２】
このように、領域１０１ａでは、信号線によって、ＩＣ１６０ａが有する信号線駆動回路と電気的に接続されるものと、ＩＣ１６０ｂが有する信号線駆動回路と電気的に接続されるものとがあるが、どちらの信号線駆動回路も、タイミングコントローラ１５１ａ及び基準電圧生成回路１５２ａと電気的に接続されている。そのため、２つの信号線駆動回路に供給される基準電圧に大きな差は生じにくい。したがって、領域１０１ａは、観察者から分割縞が認識されにくく、高い表示品位を実現できる。
【００７３】
領域１０１ｂは、２ｎ＋３列目の信号線ＳＬ＿２ｎ＋３から４ｎ列目の信号線ＳＬ＿４ｎまでを含む。
【００７４】
２ｎ＋３列目の信号線ＳＬ＿２ｎ＋３から３ｎ列目の信号線ＳＬ＿３ｎまでは、それぞれ端子群１３０ｃが有する複数の端子１３５ｃのいずれか一と接続され、ＩＣ１６０ｃが有する信号線駆動回路と電気的に接続される。
【００７５】
３ｎ＋１列目の信号線ＳＬ＿３ｎ＋１から４ｎ列目の信号線ＳＬ＿４ｎまでは、それぞれ端子群１３０ｄが有する複数の端子１３５ｄのいずれか一と接続され、ＩＣ１６０ｄが有する信号線駆動回路と電気的に接続される。
【００７６】
ＩＣ１６０ｃとＩＣ１６０ｄはいずれも、タイミングコントローラ１５１ｂ及び基準電圧生成回路１５２ｂと電気的に接続されている。
【００７７】
つまり、領域１０１ｂは、タイミングコントローラ１５１ｂ及び基準電圧生成回路１５２ｂと電気的に接続された信号線駆動回路から、信号線ＳＬに、画像信号が供給される領域である。
【００７８】
このように、領域１０１ｂでは、信号線によって、ＩＣ１６０ｃが有する信号線駆動回路と電気的に接続されるものと、ＩＣ１６０ｄが有する信号線駆動回路と電気的に接続されるものとがあるが、どちらの信号線駆動回路も、タイミングコントローラ１５１ｂ及び基準電圧生成回路１５２ｂと電気的に接続されている。そのため、２つの信号線駆動回路に供給される基準電圧に大きな差は生じにくい。したがって、領域１０１ｂも、領域１０１ａと同様、観察者から分割縞が認識されにくく、高い表示品位を実現できる。
【００７９】
領域１０１ａと領域１０１ｂの間の領域１１０は、２ｎ−１列目の信号線ＳＬ＿２ｎ−１から２ｎ＋２列目の信号線ＳＬ＿２ｎ＋２までを含む。
【００８０】
２ｎ−１列目の信号線ＳＬ＿２ｎ−１と、２ｎ＋１列目の信号線ＳＬ＿２ｎ＋１は、それぞれ端子群１３０ｃが有する複数の端子１３５ｃのいずれか一と接続され、ＩＣ１６０ｃが有する信号線駆動回路と電気的に接続される。
【００８１】
２ｎ列目の信号線ＳＬ＿２ｎと、２ｎ＋２列目の信号線ＳＬ＿２ｎ＋２は、それぞれ端子群１３０ｂが有する複数の端子１３５ｂのいずれか一と接続され、ＩＣ１６０ｂが有する信号線駆動回路と電気的に接続される。
【００８２】
つまり、領域１１０は、タイミングコントローラ１５１ａ及び基準電圧生成回路１５２ａと電気的に接続された信号線駆動回路から画像信号が供給される信号線ＳＬと、タイミングコントローラ１５１ｂ及び基準電圧生成回路１５２ｂと電気的に接続された信号線駆動回路から画像信号が供給される信号線ＳＬと、が交互に設けられている領域である。
【００８３】
図３（Ｂ）に、図３（Ａ）に示す表示モジュールにおける、信号線と、当該信号線が信号線駆動回路を介して電気的に接続される基準電圧生成回路との対応関係を示す。図３（Ｂ）では、信号線が、基準電圧生成回路１５２ａと電気的に接続される場合を「ａ」、基準電圧生成回路１５２ｂと電気的に接続される場合を「ｂ」と記す。
【００８４】
領域１０１ａが有する全ての信号線は、基準電圧生成回路１５２ａと電気的に接続される。領域１０１ｂが有する全ての信号線は、基準電圧生成回路１５２ｂと電気的に接続される。領域１１０が有する４本の信号線は、基準電圧生成回路１５２ａと基準電圧生成回路１５２ｂに交互に電気的に接続される。領域１１０では、基準電圧生成回路１５２ａと電気的に接続される１本の信号線が、基準電圧生成回路１５２ｂと電気的に接続される２本の信号線の間に位置する、ということができる。
【００８５】
なお、領域１１０が有する、最も領域１０１ａ側の画素は、領域１０１ａが有する画素とは異なる信号線駆動回路と電気的に接続される。同様に、領域１１０が有する、最も領域１０１ｂ側の画素は、領域１０１ｂが有する画素とは異なる信号線駆動回路と電気的に接続される。
【００８６】
このように、領域１１０は、信号線によって、ＩＣ１６０ｂが有する信号線駆動回路と電気的に接続されるものと、ＩＣ１６０ｃが有する信号線駆動回路と電気的に接続されるものとがある。これら２つの信号線駆動回路は、異なる基準電圧生成回路と電気的に接続されているため、供給される基準電圧に差が生じることがある。しかし、領域１１０では、複数の信号線が、２つの信号線駆動回路と交互に電気的に接続される。このような構成の領域１１０では、２つの信号線駆動回路に供給される基準電圧が平均化される。そのため、例えば、同じ階調を表現する場合、観察者には、領域１１０の表示の輝度が、領域１０１ａの表示の輝度と領域１０１ｂの表示の輝度の間の輝度と認識される。つまり、領域１０１ａと領域１０１ｂが接する場合に比べて、領域１０１ａと領域１０１ｂの間に領域１１０が設けられている方が、観察者は、同じ階調を表現する場合に各領域の境界で生じる表示の輝度の差を認識しにくい。したがって、表示装置の表示品位の低下を抑制できる。
【００８７】
なお、領域１１０は、表示部１０１の中央及びその近傍を含むことが好ましい。例えば、２ｎ列（ｎは２以上の整数）に複数の画素１１５が配置される場合、領域１１０は、ｎ列目の画素１１５と電気的に接続される信号線ＳＬを含むことが好ましい。これにより、表示部１０１の中央に分割縞が見えることを抑制でき、表示装置の表示品位の低下を抑制できる。
【００８８】
また、領域１１０に含まれる信号線ＳＬの本数は、例えば、２本以上３００本以下、または４本以上１００本以下とすることができる。領域１１０に含まれる信号線ＳＬの本数が多いほど、一部の信号線ＳＬにおいて引き回す長さが長くなり、他の信号線ＳＬよりも配線抵抗が大きくなる場合がある。そのため、表示部１０１の一部にのみ、領域１１０を設けることが好ましい。
【００８９】
ここで、領域１１０を有していない表示モジュールを比較例に挙げて説明する。
【００９０】
図４に、比較例の表示モジュールの上面図を示す。図４に示す表示モジュールは、表示部１０１が領域１１０を有さず、領域１０１ａと領域１０１ｂとが接している点で、図１に示す表示モジュールと異なる。
【００９１】
図５に、比較例の表示モジュールのブロック図を示す。
【００９２】
領域１０１ａは、１列目の信号線ＳＬ＿１から２ｎ列目の信号線ＳＬ＿２ｎまでを含む。
【００９３】
１列目の信号線ＳＬ＿１からｎ列目の信号線ＳＬ＿ｎまでは、それぞれ端子群１３０ａが有する複数の端子１３５ａのいずれか一と接続され、ＩＣ１６０ａが有する信号線駆動回路と電気的に接続される。
【００９４】
ｎ＋１列目の信号線ＳＬ＿ｎ＋１から２ｎ列目の信号線ＳＬ＿２ｎまでは、それぞれ端子群１３０ｂが有する複数の端子１３５ｂのいずれか一と接続され、ＩＣ１６０ｂが有する信号線駆動回路と電気的に接続される。
【００９５】
ＩＣ１６０ａとＩＣ１６０ｂはいずれも、タイミングコントローラ１５１ａ及び基準電圧生成回路１５２ａと電気的に接続されている。
【００９６】
つまり、領域１０１ａは、タイミングコントローラ１５１ａ及び基準電圧生成回路１５２ａと電気的に接続された信号線駆動回路から、信号線ＳＬに、画像信号が供給される領域である。
【００９７】
領域１０１ｂは、２ｎ＋１列目の信号線ＳＬ＿２ｎ＋１から４ｎ列目の信号線ＳＬ＿４ｎまでを含む。
【００９８】
２ｎ＋１列目の信号線ＳＬ＿２ｎ＋１から３ｎ列目の信号線ＳＬ＿３ｎまでは、それぞれ端子群１３０ｃが有する複数の端子１３５ｃのいずれか一と接続され、ＩＣ１６０ｃが有する信号線駆動回路と電気的に接続される。
【００９９】
３ｎ＋１列目の信号線ＳＬ＿３ｎ＋１から４ｎ列目の信号線ＳＬ＿４ｎまでは、それぞれ端子群１３０ｄが有する複数の端子１３５ｄのいずれか一と接続され、ＩＣ１６０ｄが有する信号線駆動回路と電気的に接続される。
【０１００】
ＩＣ１６０ｃとＩＣ１６０ｄはいずれも、タイミングコントローラ１５１ｂ及び基準電圧生成回路１５２ｂと電気的に接続されている。
【０１０１】
つまり、領域１０１ｂは、タイミングコントローラ１５１ｂ及び基準電圧生成回路１５２ｂと電気的に接続された信号線駆動回路から、信号線ＳＬに、画像信号が供給される領域である。
【０１０２】
このように、領域１０１ａと領域１０１ｂでは、信号線と電気的に接続される信号線駆動回路が異なり、信号線駆動回路と電気的に接続されるタイミングコントローラ及び基準電圧生成回路も異なる。そのため、例えば領域１０１ａと領域１０１ｂで同じ階調を表現する場合、異なる輝度で表示が行われ、２つの領域の境界が分割縞１０８（図４）として観察者に認識されてしまうことがある。
【０１０３】
一方、図１、図２、及び図３（Ａ）に示す本発明の一態様の表示モジュールは、上述の領域１１０を有する。領域１０１ａと領域１０１ｂの間に領域１１０を設けることで、分割縞を見えにくくすることができる。したがって、高解像度で大型の表示装置の表示品位を高めることができる。
【０１０４】
＜１−２．表示モジュールの構成例２＞
図６及び図７を用いて本発明の一態様の表示モジュールの構成例について説明する。なお、以降の構成例において、先の構成例と同様の部分については詳細な説明を省略することがある。
【０１０５】
図６に、本発明の一態様の表示モジュールの上面図を示す。
【０１０６】
図６に示す表示モジュールは、表示装置１００の対向する２辺に１つずつプリント基板が実装されている点で図１に示す表示モジュールと異なる。
【０１０７】
図７は、図６に示す表示部１０１における、領域１０１ａと領域１１０との境界、領域１１０と領域１０１ｂとの境界、及びこれらの近傍の構成を詳細に示すブロック図である。
【０１０８】
図７における信号線と、当該信号線が信号線駆動回路を介して電気的に接続される基準電圧生成回路との対応関係は、図３（Ｂ）に示した対応関係と同様である。
【０１０９】
図３（Ａ）に示す構成では、端子群１３０ｂに接続される信号線と、端子群１３０ｃに接続される信号線とが交差する。一方、図７に示す構成では、端子群１３０ｂに接続される信号線と、端子群１３０ｃに接続される信号線とが交差しない。２本の信号線が交差すると、寄生容量が増え、負荷が増大し、信号の遅延が生じることがある。これにより、高いフレーム周波数での動作が困難となる場合がある。また、２本の信号線が交差すると、一方の信号線の電気的なノイズが他方の信号線に伝達し、表示に影響を及ぼす場合がある。これらのことから、信号線が交差する面積を小さくする、さらにはなくすことが望ましい。
【０１１０】
＜１−３．変形例＞
図８（Ａ）〜（Ｅ）に、本発明の一態様の表示モジュールにおける、信号線と、当該信号線が信号線駆動回路を介して電気的に接続される基準電圧生成回路との対応関係の例を示す。
【０１１１】
図８（Ａ）〜（Ｅ）では、図２に示す表示モジュールのように、信号線が４ｎ本設けられている場合を例に挙げて説明する。つまり、２ｎ列目の信号線ＳＬ＿２ｎと２ｎ＋１列目の信号線ＳＬ＿２ｎ＋１の間が、表示部１０１の中央といえる。
【０１１２】
図８（Ａ）〜（Ｅ）では、信号線が２つの基準電圧生成回路の一方（基準電圧生成回路Ａともいう）と電気的に接続される場合を「ａ」、他方（基準電圧生成回路Ｂともいう）と電気的に接続される場合を「ｂ」と記す。２つの基準電圧生成回路は、例えば、図２における、基準電圧生成回路１５２ａ及び基準電圧生成回路１５２ｂと読み替えてもよい。
【０１１３】
図８（Ａ）は、領域１１０が、２本の信号線ＳＬを有する例であり、図８（Ｂ）は、６本の信号線ＳＬを有する例である。図８（Ａ）では、領域１０１ａ側に基準電圧生成回路Ｂに電気的に接続される信号線（信号線Ｂともいう）が配置され、領域１０１ｂ側に基準電圧生成回路Ａに電気的に接続される信号線（信号線Ａともいう）が配置されている。図８（Ｂ）では、領域１１０において、信号線Ａと信号線Ｂとが、１本おきに交互に配置されている。
【０１１４】
図８（Ｃ）は、領域１１０が、８本の信号線ＳＬを有する例であり、信号線Ａと信号線Ｂとが、２本おきに交互に配置されている。
【０１１５】
図８（Ｄ）は、領域１１０が、７本の信号線ＳＬを有する例であり、信号線Ａと信号線Ｂとが、不規則に配置されている。
【０１１６】
図８（Ｅ）は、領域１１０が、１６本の信号線ＳＬを有する例である。領域１１０において、２本の信号線Ｂの間に配置される信号線Ａの本数が、領域１０１ａ側から３本、２本、１本、と段階的に変化している。同様に、領域１１０において、２本の信号線Ａの間に配置される信号線Ｂの本数が、領域１０１ｂ側から３本、２本、１本、と段階的に変化している。
【０１１７】
以上のように、領域１１０における信号線Ａと信号線Ｂが配置される順序は、様々な態様をとることができる。
【０１１８】
＜１−４．表示モジュールの構成例３＞
図９〜図１２を用いて本発明の一態様の表示モジュールの構成例について説明する。
【０１１９】
図９に、本発明の一態様の表示モジュールのブロック図を示す。
【０１２０】
図９に示す表示モジュールは、表示部１０１に、１列の画素１１５に対して２本の信号線ＳＬを設け、画素１１５が電気的に接続する信号線ＳＬを一行毎に切り替える方式が適用されている点で、図２に示す表示モジュールと異なる。
【０１２１】
例えば、表示部１０１は、２ｍ行２ｎ列（ｍ及びｎはそれぞれ１以上の整数）のマトリクス状に配置された複数の画素１１５を有する。このとき、表示装置１００は、ｍ本の走査線ＧＬ０と２ｍ本の走査線ＧＬと４ｎ本の信号線ＳＬを有する。
【０１２２】
図９に示す表示モジュールでは、２本の走査線ＧＬに同時に選択信号が供給され、列方向に隣接する画素１１５が２つ同時に選択される。走査線ＧＬ０の一端は走査線駆動回路１０２と電気的に接続され、走査線ＧＬ０の他端は走査線駆動回路１０３と電気的に接続される。走査線ＧＬ０＿ｉは、走査線ＧＬ＿ｉ及び走査線ＧＬ＿ｉ＋１と電気的に接続されており、ｉ行目とｉ＋１行目は２行同時に選択される。
【０１２３】
走査線ＧＬを２行同時に選択することができるため、画像信号の書き込み時間を長くすることができる。よって、フレーム周波数を高めた高速駆動時においても、画像信号の書き込み不足を防ぐことができる。例えば、フレーム周波数が１２０Ｈｚ以上である場合にも、画像信号の書き込み不足を防ぐことができる。
【０１２４】
また、本発明の一態様の表示装置において、フレーム周波数を１Ｈｚから１２０Ｈｚまでの可変としてもよい。例えば、静止画を表示する場合はフレーム周波数を小さくすることで、表示装置の消費電力を低減することができる。また、フレーム周波数を大きくすることで、動画表示時の視認性を高めることができる。
【０１２５】
また、本発明の一態様の表示装置において、１列の画素１１５に対して２本の信号線ＳＬを設ける構成に限らず、１列の画素１１５に対して３本、４本、または５本以上の信号線ＳＬを設けてもよい。
【０１２６】
図９〜図１２において、ｊ列目（ｊは１以上２ｎ以下の整数）の画素１１５と電気的に接続する信号線ＳＬは、信号線ＳＬ＿２ｊ−１と信号線ＳＬ＿２ｊの２本である。
【０１２７】
図９及び図１０（Ａ）を用いて、各信号線と信号線駆動回路の接続関係について説明する。なお、図１０（Ａ）は、図９に示す表示部１０１における、領域１０１ａと領域１１０の境界、領域１１０と領域１０１ｂの境界、及びこれらの近傍の構成を詳細に示す図である。各領域は、２ｍ本の走査線ＧＬを有する。図１０（Ａ）では、そのうちの１行目の走査線ＧＬ＿１から６行目の走査線ＧＬ＿６までを示す。
【０１２８】
また、図１０（Ｂ）に、図１０（Ａ）に示す表示モジュールにおける、信号線と、当該信号線が信号線駆動回路を介して電気的に接続される基準電圧生成回路との対応関係を示す。図１０（Ｂ）では、信号線が、基準電圧生成回路１５２ａと電気的に接続される場合を「ａ」、基準電圧生成回路１５２ｂと電気的に接続される場合を「ｂ」と記す。
【０１２９】
図１０（Ｂ）において、走査線ＧＬ＿ｉは、奇数行の走査線であり、走査線ＧＬ＿ｉ＋１は偶数行の走査線である。
【０１３０】
領域１０１ａは、１列目の信号線ＳＬ＿１から２ｎ−４列目の信号線ＳＬ＿２ｎ−４までを含む。
【０１３１】
１列目の信号線ＳＬ＿１からｎ列目の信号線ＳＬ＿ｎまでは、それぞれ端子群１３０ａが有する複数の端子１３５ａのいずれか一と接続され、ＩＣ１６０ａが有する信号線駆動回路と電気的に接続される。
【０１３２】
ｎ＋１列目の信号線ＳＬ＿ｎ＋１から２ｎ−４列目の信号線ＳＬ＿２ｎ−４までは、それぞれ端子群１３０ｂが有する複数の端子１３５ｂのいずれか一と接続され、ＩＣ１６０ｂが有する信号線駆動回路と電気的に接続される。
【０１３３】
ＩＣ１６０ａとＩＣ１６０ｂはいずれも、タイミングコントローラ１５１ａ及び基準電圧生成回路１５２ａと電気的に接続されている。
【０１３４】
つまり、領域１０１ａは、タイミングコントローラ１５１ａ及び基準電圧生成回路１５２ａと電気的に接続された信号線駆動回路から、信号線ＳＬに、画像信号が供給される領域である。
【０１３５】
領域１０１ｂは、２ｎ＋５列目の信号線ＳＬ＿２ｎ＋５から４ｎ列目の信号線ＳＬ＿４ｎまでを含む。
【０１３６】
２ｎ＋５列目の信号線ＳＬ＿２ｎ＋５から３ｎ列目の信号線ＳＬ＿３ｎまでは、それぞれ端子群１３０ｃが有する複数の端子１３５ｃのいずれか一と接続され、ＩＣ１６０ｃが有する信号線駆動回路と電気的に接続される。
【０１３７】
３ｎ＋１列目の信号線ＳＬ＿３ｎ＋１から４ｎ列目の信号線ＳＬ＿４ｎまでは、それぞれ端子群１３０ｄが有する複数の端子１３５ｄのいずれか一と接続され、ＩＣ１６０ｄが有する信号線駆動回路と電気的に接続される。
【０１３８】
ＩＣ１６０ｃとＩＣ１６０ｄはいずれも、タイミングコントローラ１５１ｂ及び基準電圧生成回路１５２ｂと電気的に接続されている。
【０１３９】
つまり、領域１０１ｂは、タイミングコントローラ１５１ｂ及び基準電圧生成回路１５２ｂと電気的に接続された信号線駆動回路から、信号線ＳＬに、画像信号が供給される領域である。
【０１４０】
領域１０１ａと領域１０１ｂの間の領域１１０は、２ｎ−３列目の信号線ＳＬ＿２ｎ−３から２ｎ＋４列目の信号線ＳＬ＿２ｎ＋４までを含む。
【０１４１】
２ｎ−３列目の信号線ＳＬ＿２ｎ−３、２ｎ−２列目の信号線ＳＬ＿２ｎ−２、２ｎ＋１列目の信号線ＳＬ＿２ｎ＋１、２ｎ＋２列目の信号線ＳＬ＿２ｎ＋２は、それぞれ端子群１３０ｃが有する複数の端子１３５ｃのいずれか一と接続され、ＩＣ１６０ｃが有する信号線駆動回路と電気的に接続される。
【０１４２】
２ｎ−１列目の信号線ＳＬ＿２ｎ−１、２ｎ列目の信号線ＳＬ＿２ｎ、２ｎ＋３列目の信号線ＳＬ＿２ｎ＋３、２ｎ＋４列目の信号線ＳＬ＿２ｎ＋４は、それぞれ端子群１３０ｂが有する複数の端子１３５ｂのいずれか一と接続され、ＩＣ１６０ｂが有する信号線駆動回路と電気的に接続される。
【０１４３】
つまり、領域１１０は、タイミングコントローラ１５１ａ及び基準電圧生成回路１５２ａと電気的に接続された信号線駆動回路から画像信号が供給される信号線ＳＬと、タイミングコントローラ１５１ｂ及び基準電圧生成回路１５２ｂと電気的に接続された信号線駆動回路から画像信号が供給される信号線ＳＬと、が２本おきに交互に設けられている領域である。したがって、同じ列であれば、奇数行の画素１１５と偶数行の画素１１５には、同じ信号線駆動回路から画像信号が供給される。
【０１４４】
領域１１０は、信号線によって、ＩＣ１６０ｂが有する信号線駆動回路と電気的に接続されるものと、ＩＣ１６０ｃが有する信号線駆動回路と電気的に接続されるものとがある。これら２つの信号線駆動回路は、異なる基準電圧生成回路と電気的に接続されているため、供給される基準電圧に差が生じることがある。しかし、領域１１０では、複数の信号線が、２つの信号線駆動回路と２本おきに交互に電気的に接続される。このような構成の領域１１０では、２つの信号線駆動回路に供給される基準電圧が平均化される。そのため、例えば同じ階調を表現する場合、観察者には、領域１１０の表示の輝度が、領域１０１ａの表示の輝度と領域１０１ｂの表示の輝度の間の輝度と認識される。つまり、領域１０１ａと領域１０１ｂが接する場合に比べて、領域１０１ａと領域１０１ｂの間に領域１１０が設けられている方が、観察者は、同じ階調を表現する場合に各領域の境界で生じる表示の輝度の差を認識しにくい。したがって、表示装置の表示品位の低下を抑制できる。
【０１４５】
図１１（Ａ）に、図９及び図１０（Ａ）とは異なる領域１１０の構成を示す。また、図１１（Ｂ）に、図１１（Ａ）に示す表示モジュールにおける、信号線と、当該信号線が信号線駆動回路を介して電気的に接続される基準電圧生成回路との対応関係を示す。図１１（Ｂ）では、信号線が、基準電圧生成回路１５２ａと電気的に接続される場合を「ａ」、基準電圧生成回路１５２ｂと電気的に接続される場合を「ｂ」と記す。
【０１４６】
図１１（Ｂ）において、走査線ＧＬ＿ｉは、奇数行の走査線であり、走査線ＧＬ＿ｉ＋１は偶数行の走査線である。
【０１４７】
図１１（Ａ）に示す領域１１０は、２ｎ−５列目の信号線ＳＬ＿２ｎ−５から２ｎ＋６列目の信号線ＳＬ＿２ｎ＋６までを含む。
【０１４８】
図１１（Ａ）に示す領域１１０は、タイミングコントローラ１５１ａ及び基準電圧生成回路１５２ａと電気的に接続された信号線駆動回路から画像信号が供給される信号線ＳＬと、タイミングコントローラ１５１ｂ及び基準電圧生成回路１５２ｂと電気的に接続された信号線駆動回路から画像信号が供給される信号線ＳＬと、が１本おきに交互に設けられている領域である。
【０１４９】
図１１（Ａ）、（Ｂ）に示すように、領域１１０の奇数行の画素１１５は、タイミングコントローラ１５１ｂ及び基準電圧生成回路１５２ｂと電気的に接続された信号線駆動回路から画像信号が供給される信号線ＳＬと電気的に接続されている。領域１１０の偶数行の画素１１５は、タイミングコントローラ１５１ａ及び基準電圧生成回路１５２ａと電気的に接続された信号線駆動回路から画像信号が供給される信号線ＳＬと電気的に接続されている。つまり、例えば同じ階調を表現する場合、奇数行では、領域１０１ａと領域１１０とで表示の輝度に差が生じることがあり、偶数行では、領域１０１ｂと領域１１０とで表示の輝度に差が生じることがある。行によって、信号線が、基準電圧生成回路１５２ａと電気的に接続される列と基準電圧生成回路１５２ｂと電気的に接続される列との境界が異なることで、観察者に分割縞を認識されにくくすることができる。
【０１５０】
図１２（Ａ）に、図９、図１０（Ａ）、及び図１１（Ａ）とは異なる表示部１０１の構成を示す。また、図１２（Ｂ）に、図１２（Ａ）に示す表示モジュールにおける、信号線と、当該信号線が信号線駆動回路を介して電気的に接続される基準電圧生成回路との対応関係を示す。図１２（Ｂ）では、信号線が、基準電圧生成回路１５２ａと電気的に接続される場合を「ａ」、基準電圧生成回路１５２ｂと電気的に接続される場合を「ｂ」と記す。
【０１５１】
図１２（Ｂ）において、走査線ＧＬ＿ｉは、奇数行の走査線であり、走査線ＧＬ＿ｉ＋１は偶数行の走査線である。
【０１５２】
図１２（Ａ）に示す領域１１０は、２ｎ−５列目の信号線ＳＬ＿２ｎ−５から２ｎ＋６列目の信号線ＳＬ＿２ｎ＋６までを含む。
【０１５３】
図１０（Ａ）及び図１１（Ａ）に示す表示部１０１は、奇数行の画素と電気的に接続される信号線と、偶数行の画素と電気的に接続される信号線と、が１つずつ交互に配置される構成である。一方、図１２（Ａ）に示す表示部１０１は、奇数行の画素と電気的に接続される信号線と、偶数行の画素と電気的に接続される信号線と、が２つずつ交互に配置される構成である。
【０１５４】
また、図１２（Ａ）に示す領域１１０は、タイミングコントローラ１５１ａ及び基準電圧生成回路１５２ａと電気的に接続された信号線駆動回路から画像信号が供給される信号線ＳＬと、タイミングコントローラ１５１ｂ及び基準電圧生成回路１５２ｂと電気的に接続された信号線駆動回路から画像信号が供給される信号線ＳＬと、が１本おきに交互に設けられている領域である。
【０１５５】
図１２（Ａ）、（Ｂ）に示すように、領域１１０内では、奇数行の画素１１５と偶数行の画素１１５とで、電気的に接続される基準電圧生成回路の順序が異なる。つまり、領域１１０内のある画素は、電気的に接続される基準電圧生成回路が、当該画素の上下左右に隣接する画素と異なる。このような構成であっても、観察者に分割縞を認識されにくくすることができる。
【０１５６】
＜１−５．表示モジュールの構成例４＞
図１３〜図１５を用いて本発明の一態様の表示モジュールの構成例について説明する。
【０１５７】
図１３に、本発明の一態様の表示モジュールの上面図を示す。
【０１５８】
図１３に示す表示モジュールは、表示装置１００を有する。表示装置１００は、第１の基板１１１と第２の基板１１３によって封止された領域に、表示部１０１、走査線駆動回路１０２、及び走査線駆動回路１０３を有する。表示部１０１は、領域１０１ａ、領域１０１ｂ、領域１０１ｃ、領域１０１ｄ、領域１１０ａ、領域１１０ｂ、領域１１０ｃ、及び領域１１０ｄを有する。各領域は、電気的に接続される走査線駆動回路と信号線駆動回路の組み合わせが異なる。
【０１５９】
第１の基板１１１と第２の基板１１３によって封止された領域とは異なる領域において、第１の基板１１１には１２個のＦＰＣ１６２が接続されている。各ＦＰＣ１６２には、ＣＯＦ方式によって、ＩＣが接続されている。ＩＣは、それぞれ、信号線駆動回路を有する。
【０１６０】
また、図１３に示す表示モジュールは、４つのプリント基板を有する。１つのプリント基板あたり、３つのＦＰＣ１６２が接続されており、プリント基板は、当該ＦＰＣ１６２を介して、第１の基板１１１に接続される。
【０１６１】
図１３では、表示装置１００の対向する２辺に２つずつプリント基板が接続されている例を示す。
【０１６２】
各プリント基板の構成は、図１に示すプリント基板と同様である。具体的には、各プリント基板には、１つのタイミングコントローラと１つの基準電圧生成回路が設けられている。
【０１６３】
図１４に、本発明の一態様の表示モジュールのブロック図を示す。
【０１６４】
図１４に示すように、表示部１０１は、複数の画素１１５を有する。図１４では、表示部１０１が、２ｍ行４ｎ列（ｍ及びｎは、それぞれ１以上の整数）のマトリクス状に配置された複数の画素１１５を有する例を示す。
【０１６５】
表示装置１００は、２ｍ本の走査線ＧＬａと２ｍ本の走査線ＧＬｂを有する。２ｍ本の走査線ＧＬａ及び２ｍ本の走査線ＧＬｂは、それぞれ、行方向に延在する。２ｍ本の走査線ＧＬａは、それぞれ、表示部１０１において行方向に並ぶ１列目から２ｎ列目までの画素１１５と電気的に接続する。２ｍ本の走査線ＧＬｂは、それぞれ、表示部１０１において行方向に並ぶ２ｎ＋１列目から４ｎ列目までの画素１１５と電気的に接続する。
【０１６６】
走査線ＧＬａの一端は走査線駆動回路１０２と電気的に接続される。走査線ＧＬｂの一端は走査線駆動回路１０３と電気的に接続される。
【０１６７】
走査線駆動回路１０２は、走査線ＧＬａに選択信号を供給する機能を有する。走査線駆動回路１０３は、走査線ＧＬｂに選択信号を供給する機能を有する。走査線ＧＬａ及び走査線ＧＬｂは、走査線駆動回路１０２または走査線駆動回路１０３から供給された選択信号を画素１１５に伝える機能を有する。
【０１６８】
表示装置１００は、４ｎ本の信号線ＳＬａと４ｎ本の信号線ＳＬｂを有する。４ｎ本の信号線ＳＬａ及び４ｎ本の信号線ＳＬｂは、それぞれ、列方向に延在する。４ｎ本の信号線ＳＬａは、それぞれ、表示部１０１において列方向に並ぶ１行目からｍ行目までの画素１１５と電気的に接続する。４ｎ本の信号線ＳＬｂは、それぞれ、表示部１０１において列方向に並ぶｍ＋１行目から２ｍ行目までの画素１１５と電気的に接続する。
【０１６９】
信号線ＳＬａ及び信号線ＳＬｂは、それぞれ、信号線駆動回路と電気的に接続される。信号線駆動回路は、信号線ＳＬａまたは信号線ＳＬｂに画像信号を供給する機能を有する。信号線ＳＬａ及び信号線ＳＬｂは、信号線駆動回路から供給された画像信号を画素１１５に伝える機能を有する。
【０１７０】
表示装置１００は、８つの端子群（端子群１３０ａ〜端子群１３０ｈ）を有し、各端子群は複数の端子（端子群１３０ａであれば、複数の端子１３５ａ）を有する。８つの端子群は、互いに離間して設けられ、それぞれ異なるＩＣと接続される。同じ端子群に含まれる複数の端子は、同じＩＣ（つまり、同じ信号線駆動回路）と電気的に接続される。１つの端子は、１本の信号線ＳＬａまたは１本の信号線ＳＬｂと接続される。つまり、接続される端子が同じ端子群に含まれる複数の信号線は、同じＩＣ（同じ信号線駆動回路）と電気的に接続される。
【０１７１】
図１４及び図１５を用いて、各信号線と信号線駆動回路の接続関係について説明する。なお、図１５は、図１４に示す表示部１０１における、８つの領域の境界とその近傍の構成を詳細に示す図である。各領域は、ｍ本の走査線ＧＬａまたはｍ本の走査線ＧＬｂを有する。図１５では、そのうちのｍ−４行目からｍ＋５行目までの走査線を示す。
【０１７２】
領域１０１ａは、１行目の走査線ＧＬａ＿１からｍ行目の走査線ＧＬａ＿ｍまでを含む。領域１０１ａは、１列目の信号線ＳＬａ＿１から２ｎ−２列目の信号線ＳＬａ＿２ｎ−２までを含む。
【０１７３】
１列目の信号線ＳＬａ＿１からｎ列目の信号線ＳＬａ＿ｎまでは、それぞれ端子群１３０ａが有する複数の端子１３５ａのいずれか一と接続され、ＩＣ１６０ａが有する信号線駆動回路と電気的に接続される。
【０１７４】
ｎ＋１列目の信号線ＳＬａ＿ｎ＋１から２ｎ−２列目の信号線ＳＬａ＿２ｎ−２までは、それぞれ端子群１３０ｂが有する複数の端子１３５ｂのいずれか一と接続され、ＩＣ１６０ｂが有する信号線駆動回路と電気的に接続される。
【０１７５】
ＩＣ１６０ａとＩＣ１６０ｂはいずれも、タイミングコントローラ１５１ａ及び基準電圧生成回路１５２ａと電気的に接続されている。
【０１７６】
つまり、領域１０１ａは、タイミングコントローラ１５１ａ及び基準電圧生成回路１５２ａと電気的に接続された信号線駆動回路から、信号線ＳＬａに、画像信号が供給される領域である。
【０１７７】
領域１０１ｂは、１行目の走査線ＧＬｂ＿１からｍ行目の走査線ＧＬｂ＿ｍまでを含む。領域１０１ｂは、２ｎ＋３列目の信号線ＳＬａ＿２ｎ＋３から４ｎ列目の信号線ＳＬａ＿４ｎまでを含む。
【０１７８】
２ｎ＋３列目の信号線ＳＬａ＿２ｎ＋３から３ｎ列目の信号線ＳＬａ＿３ｎまでは、それぞれ端子群１３０ｃが有する複数の端子１３５ｃのいずれか一と接続され、ＩＣ１６０ｃが有する信号線駆動回路と電気的に接続される。
【０１７９】
３ｎ＋１列目の信号線ＳＬａ＿３ｎ＋１から４ｎ列目の信号線ＳＬａ＿４ｎまでは、それぞれ端子群１３０ｄが有する複数の端子１３５ｄのいずれか一と接続され、ＩＣ１６０ｄが有する信号線駆動回路と電気的に接続される。
【０１８０】
ＩＣ１６０ｃとＩＣ１６０ｄはいずれも、タイミングコントローラ１５１ｂ及び基準電圧生成回路１５２ｂと電気的に接続されている。
【０１８１】
つまり、領域１０１ｂは、タイミングコントローラ１５１ｂ及び基準電圧生成回路１５２ｂと電気的に接続された信号線駆動回路から、信号線ＳＬａに、画像信号が供給される領域である。
【０１８２】
領域１０１ｃは、ｍ＋１行目の走査線ＧＬａ＿ｍ＋１から２ｍ行目の走査線ＧＬａ＿２ｍまでを含む。領域１０１ｃは、１列目の信号線ＳＬｂ＿１から２ｎ−２列目の信号線ＳＬｂ＿２ｎ−２までを含む。
【０１８３】
１列目の信号線ＳＬｂ＿１からｎ列目の信号線ＳＬｂ＿ｎまでは、それぞれ端子群１３０ｅが有する複数の端子１３５ｅのいずれか一と接続され、ＩＣ１６０ｅが有する信号線駆動回路と電気的に接続される。
【０１８４】
ｎ＋１列目の信号線ＳＬｂ＿ｎ＋１から２ｎ−２列目の信号線ＳＬｂ＿２ｎ−２までは、それぞれ端子群１３０ｆが有する複数の端子１３５ｆのいずれか一と接続され、ＩＣ１６０ｆが有する信号線駆動回路と電気的に接続される。
【０１８５】
ＩＣ１６０ｅとＩＣ１６０ｆはいずれも、タイミングコントローラ１５１ｃ及び基準電圧生成回路１５２ｃと電気的に接続されている。
【０１８６】
つまり、領域１０１ｃは、タイミングコントローラ１５１ｃ及び基準電圧生成回路１５２ｃと電気的に接続された信号線駆動回路から、信号線ＳＬｂに、画像信号が供給される領域である。
【０１８７】
領域１０１ｄは、ｍ＋１行目の走査線ＧＬｂ＿ｍ＋１から２ｍ行目の走査線ＧＬｂ＿２ｍまでを含む。領域１０１ｄは、２ｎ＋３列目の信号線ＳＬｂ＿２ｎ＋３から４ｎ列目の信号線ＳＬｂ＿４ｎまでを含む。
【０１８８】
２ｎ＋３列目の信号線ＳＬｂ＿２ｎ＋３から３ｎ列目の信号線ＳＬｂ＿３ｎまでは、それぞれ端子群１３０ｇが有する複数の端子１３５ｇのいずれか一と接続され、ＩＣ１６０ｇが有する信号線駆動回路と電気的に接続される。
【０１８９】
３ｎ＋１列目の信号線ＳＬｂ＿３ｎ＋１から４ｎ列目の信号線ＳＬｂ＿４ｎまでは、それぞれ端子群１３０ｈが有する複数の端子１３５ｈのいずれか一と接続され、ＩＣ１６０ｈが有する信号線駆動回路と電気的に接続される。
【０１９０】
ＩＣ１６０ｇとＩＣ１６０ｈはいずれも、タイミングコントローラ１５１ｄ及び基準電圧生成回路１５２ｄと電気的に接続されている。
【０１９１】
つまり、領域１０１ｄは、タイミングコントローラ１５１ｄ及び基準電圧生成回路１５２ｄと電気的に接続された信号線駆動回路から、信号線ＳＬｂに、画像信号が供給される領域である。
【０１９２】
領域１０１ａと領域１０１ｂの間の領域１１０ａは、２ｎ−１列目の信号線ＳＬａ＿２ｎ−１及び２ｎ列目の信号線ＳＬａ＿２ｎを含む。領域１１０ａは、１行目の走査線ＧＬａ＿１からｍ行目の走査線ＧＬａ＿ｍまでを含む。
【０１９３】
領域１０１ａと領域１０１ｂの間の領域１１０ｂは、２ｎ＋１列目の信号線ＳＬａ＿２ｎ＋１及び２ｎ＋２列目の信号線ＳＬａ＿２ｎ＋２を含む。領域１１０ｂは、１行目の走査線ＧＬｂ＿１からｍ行目の走査線ＧＬｂ＿ｍまでを含む。
【０１９４】
領域１１０ａ及び領域１１０ｂは、タイミングコントローラ１５１ａ及び基準電圧生成回路１５２ａと電気的に接続された信号線駆動回路から画像信号が供給される信号線ＳＬａと、タイミングコントローラ１５１ｂ及び基準電圧生成回路１５２ｂと電気的に接続された信号線駆動回路から画像信号が供給される信号線ＳＬａと、が交互に設けられている領域である。
【０１９５】
領域１０１ｃと領域１０１ｄの間の領域１１０ｃは、２ｎ−１列目の信号線ＳＬｂ＿２ｎ−１及び２ｎ列目の信号線ＳＬｂ＿２ｎを含む。領域１１０ｃは、ｍ＋１行目の走査線ＧＬａ＿ｍ＋１から２ｍ行目の走査線ＧＬａ＿２ｍまでを含む。
【０１９６】
領域１０１ｃと領域１０１ｄの間の領域１１０ｄは、２ｎ＋１列目の信号線ＳＬｂ＿２ｎ＋１及び２ｎ＋２列目の信号線ＳＬｂ＿２ｎ＋２を含む。領域１１０ｄは、ｍ＋１行目の走査線ＧＬｂ＿ｍ＋１から２ｍ行目の走査線ＧＬｂ＿２ｍまでを含む。
【０１９７】
領域１１０ｃ及び領域１１０ｄは、タイミングコントローラ１５１ｃ及び基準電圧生成回路１５２ｃと電気的に接続された信号線駆動回路から画像信号が供給される信号線ＳＬｂと、タイミングコントローラ１５１ｄ及び基準電圧生成回路１５２ｄと電気的に接続された信号線駆動回路から画像信号が供給される信号線ＳＬｂと、が交互に設けられている領域である。
【０１９８】
領域１１０ａ、領域１１０ｂ、領域１１０ｃ、及び領域１１０ｄでは、２つの信号線駆動回路に供給される基準電圧が平均化される。そのため、例えば、同じ階調を表現する場合、観察者には、領域１１０ａ及び領域１１０ｂの表示の輝度が、領域１０１ａの表示の輝度と領域１０１ｂの表示の輝度の間の輝度と認識される。つまり、領域１０１ａと領域１０１ｂが接する場合に比べて、領域１０１ａと領域１０１ｂの間に領域１１０ａ及び領域１１０ｂが設けられている方が、観察者は、同じ階調を表現する場合に各領域の境界で生じる表示の輝度の差を認識しにくい。領域１１０ｃ及び領域１１０ｄについても同様のことがいえる。このような構成を適用することで、表示装置の表示品位の低下を抑制できる。
【０１９９】
＜１−６．画素の構成例＞
次に、図１６（Ａ）〜（Ｅ）を用いて、画素１２０の構成例を説明する。
【０２００】
画素１２０は、複数の画素１１５を有する。複数の画素１１５は、それぞれ、副画素として機能する。それぞれ異なる色を呈する複数の画素１１５によって１つの画素１２０が構成されることで、表示部では、フルカラーの表示を行うことができる。
【０２０１】
図１６（Ａ）、（Ｂ）に示す画素１２０は、それぞれ、３つの副画素を有する。図１６（Ａ）に示す画素１２０が有する画素１１５が呈する色の組み合わせは、赤（Ｒ）、緑（Ｇ）、及び青（Ｂ）である。図１６（Ｂ）に示す画素１２０が有する画素１１５が呈する色の組み合わせは、シアン（Ｃ）、マゼンタ（Ｍ）、黄色（Ｙ）である。
【０２０２】
図１６（Ｃ）〜（Ｅ）に示す画素１２０は、それぞれ、４つの副画素を有する。図１６（Ｃ）に示す画素１２０が有する画素１１５が呈する色の組み合わせは、赤（Ｒ）、緑（Ｇ）、青（Ｂ）、白（Ｗ）である。白色を呈する副画素を用いることで、表示部の輝度を高めることができる。図１６（Ｄ）に示す画素１２０が有する画素１１５が呈する色の組み合わせは、赤（Ｒ）、緑（Ｇ）、青（Ｂ）、黄（Ｙ）である。図１６（Ｅ）に示す画素１２０が有する画素１１５が呈する色の組み合わせは、シアン（Ｃ）、マゼンタ（Ｍ）、黄色（Ｙ）、白（Ｗ）である。
【０２０３】
１つの画素として機能させる副画素の数を増やし、赤、緑、青、シアン、マゼンタ、及び黄などの色を呈する副画素を適宜組み合わせることにより、中間調の再現性を高めることができる。よって、表示品位を高めることができる。
【０２０４】
また、本発明の一態様の表示装置は、さまざまな規格の色域を再現することができる。例えば、テレビ放送で使われるＰＡＬ（Ｐｈａｓｅ  Ａｌｔｅｒｎａｔｉｎｇ  Ｌｉｎｅ）規格及びＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）規格、パーソナルコンピュータ、デジタルカメラ、プリンタなどの電子機器に用いる表示装置で広く使われているｓＲＧＢ（ｓｔａｎｄａｒｄ  ＲＧＢ）規格及びＡｄｏｂｅ  ＲＧＢ規格、ＨＤＴＶ（Ｈｉｇｈ  Ｄｅｆｉｎｉｔｉｏｎ  Ｔｅｌｅｖｉｓｉｏｎ、ハイビジョンともいう）で使われるＩＴＵ−Ｒ  ＢＴ．７０９（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎ  Ｓｅｃｔｏｒ  Ｂｒｏａｄｃａｓｔｉｎｇ  Ｓｅｒｖｉｃｅ（Ｔｅｌｅｖｉｓｉｏｎ）  ７０９）規格、デジタルシネマ映写で使われるＤＣＩ−Ｐ３（Ｄｉｇｉｔａｌ  Ｃｉｎｅｍａ  Ｉｎｉｔｉａｔｉｖｅｓ  Ｐ３）規格、ＵＨＤＴＶ（Ｕｌｔｒａ  Ｈｉｇｈ  Ｄｅｆｉｎｉｔｉｏｎ  Ｔｅｌｅｖｉｓｉｏｎ、スーパーハイビジョンともいう）で使われるＩＴＵ−Ｒ  ＢＴ．２０２０（ＲＥＣ．２０２０（Ｒｅｃｏｍｍｅｎｄａｔｉｏｎ  ２０２０））規格などの色域を再現することができる。
【０２０５】
また、画素１２０を１９２０×１０８０のマトリクス状に配置すると、いわゆるフルハイビジョン（「２Ｋ解像度」、「２Ｋ１Ｋ」、または「２Ｋ」などともいう）の解像度でフルカラー表示可能な表示装置を実現することができる。また、例えば、画素１２０を３８４０×２１６０のマトリクス状に配置すると、いわゆるウルトラハイビジョン（「４Ｋ解像度」、「４Ｋ２Ｋ」、または「４Ｋ」などともいう）の解像度でフルカラー表示可能な表示装置を実現することができる。また、例えば、画素１２０を７６８０×４３２０のマトリクス状に配置すると、いわゆるスーパーハイビジョン（「８Ｋ解像度」、「８Ｋ４Ｋ」、または「８Ｋ」などともいう）の解像度でフルカラー表示可能な表示装置を実現することができる。画素１２０を増やすことで、１６Ｋや３２Ｋの解像度でフルカラー表示可能な表示装置を実現することも可能である。
【０２０６】
＜１−７．画素回路の構成例＞
本発明の一態様の表示装置が有する表示素子としては、無機ＥＬ素子、有機ＥＬ素子、ＬＥＤ等の発光素子、液晶素子、電気泳動素子、ＭＥＭＳ（マイクロ・エレクトロ・メカニカル・システム）を用いた表示素子等が挙げられる。
【０２０７】
以下では、図１７（Ａ）を用いて、発光素子を有する画素回路の構成例を説明する。また、図１７（Ｂ）を用いて、液晶素子を有する画素回路の構成例を説明する。
【０２０８】
図１７（Ａ）に示す画素回路４３８は、トランジスタ４３６と、容量素子４３３と、トランジスタ２５１と、トランジスタ４３４と、を有する。また、画素回路４３８は、表示素子４３２として機能する発光素子１７０と電気的に接続されている。
【０２０９】
トランジスタ４３６のソース電極及びドレイン電極の一方は、画像信号が与えられる信号線ＳＬ＿ｊに電気的に接続される。さらに、トランジスタ４３６のゲート電極は、選択信号が与えられる走査線ＧＬ＿ｉに電気的に接続される。
【０２１０】
トランジスタ４３６は、画像信号のノード４３５への書き込みを制御する機能を有する。
【０２１１】
容量素子４３３の一対の電極の一方は、ノード４３５に電気的に接続され、他方は、ノード４３７に電気的に接続される。また、トランジスタ４３６のソース電極及びドレイン電極の他方は、ノード４３５に電気的に接続される。
【０２１２】
容量素子４３３は、ノード４３５に書き込まれたデータを保持する保持容量としての機能を有する。
【０２１３】
トランジスタ２５１のソース電極及びドレイン電極の一方は、電位供給線ＶＬ＿ａに電気的に接続され、他方はノード４３７に電気的に接続される。さらに、トランジスタ２５１のゲート電極は、ノード４３５に電気的に接続される。
【０２１４】
トランジスタ４３４のソース電極及びドレイン電極の一方は、電位供給線Ｖ０に電気的に接続され、他方はノード４３７に電気的に接続される。さらに、トランジスタ４３４のゲート電極は、走査線ＧＬ＿ｉに電気的に接続される。
【０２１５】
発光素子１７０のアノードまたはカソードの一方は、電位供給線ＶＬ＿ｂに電気的に接続され、他方は、ノード４３７に電気的に接続される。
【０２１６】
なお、電源電位としては、例えば相対的に高電位側の電位または低電位側の電位を用いることができる。高電位側の電源電位を高電源電位（「ＶＤＤ」ともいう）といい、低電位側の電源電位を低電源電位（「ＶＳＳ」ともいう）という。また、接地電位を高電源電位または低電源電位として用いることもできる。例えば高電源電位が接地電位の場合には、低電源電位は接地電位より低い電位であり、低電源電位が接地電位の場合には、高電源電位は接地電位より高い電位である。
【０２１７】
例えば、電位供給線ＶＬ＿ａ及び電位供給線ＶＬ＿ｂの一方には高電源電位ＶＤＤが与えられ、他方には低電源電位ＶＳＳが与えられる。
【０２１８】
図１７（Ａ）の画素回路４３８を有する表示装置では、走査線駆動回路１０２及び／または走査線駆動回路１０３によって各行の画素回路４３８を順次選択し、トランジスタ４３６及びトランジスタ４３４をオン状態にして画像信号をノード４３５に書き込む。
【０２１９】
ノード４３５にデータが書き込まれた画素回路４３８は、トランジスタ４３６及びトランジスタ４３４がオフ状態になることで保持状態になる。さらに、ノード４３５に書き込まれたデータの電位に応じてトランジスタ２５１のソース電極とドレイン電極の間に流れる電流量が制御され、発光素子１７０は、流れる電流量に応じた輝度で発光する。これを行毎に順次行うことにより、画像を表示できる。
【０２２０】
図１７（Ｂ）に示す画素回路４３８は、トランジスタ４３６と、容量素子４３３と、を有する。また、画素回路４３８は、表示素子４３２として機能する液晶素子１８０と電気的に接続されている。
【０２２１】
液晶素子１８０の一対の電極の一方の電位は、画素回路４３８の仕様に応じて適宜設定される。液晶素子１８０は、ノード４３５に書き込まれるデータにより配向状態が設定される。なお、複数の画素回路４３８のそれぞれが有する液晶素子１８０の一対の電極の一方に、共通の電位（コモン電位）を与えてもよい。また、各行の画素回路４３８毎の液晶素子１８０の一対の電極の一方に異なる電位を与えてもよい。
【０２２２】
ｉ行ｊ列目の画素回路４３８において、トランジスタ４３６のソース電極及びドレイン電極の一方は、信号線ＳＬ＿ｊに電気的に接続され、他方はノード４３５に電気的に接続される。トランジスタ４３６のゲート電極は、走査線ＧＬ＿ｉに電気的に接続される。トランジスタ４３６は、ノード４３５への画像信号の書き込みを制御する機能を有する。
【０２２３】
容量素子４３３の一対の電極の一方は、特定の電位が供給される配線（以下、容量線ＣＬ）に電気的に接続され、他方は、ノード４３５に電気的に接続される。また、液晶素子１８０の一対の電極の他方はノード４３５に電気的に接続される。なお、容量線ＣＬの電位の値は、画素回路４３８の仕様に応じて適宜設定される。容量素子４３３は、ノード４３５に書き込まれたデータを保持する保持容量としての機能を有する。
【０２２４】
図１７（Ｂ）の画素回路４３８を有する表示装置では、走査線駆動回路１０２及び／または走査線駆動回路１０３によって各行の画素回路４３８を順次選択し、トランジスタ４３６をオン状態にしてノード４３５に画像信号を書き込む。
【０２２５】
ノード４３５に画像信号が書き込まれた画素回路４３８は、トランジスタ４３６がオフ状態になることで保持状態になる。これを行毎に順次行うことにより、表示部１０１に画像を表示できる。
【０２２６】
＜１−８．表示装置の構成例＞
次に、図１８〜図２１を用いて、表示装置の構成例について説明する。
【０２２７】
図１８に、カラーフィルタ方式が適用されたトップエミッション構造の発光表示装置の断面図を示す。
【０２２８】
図１８に示す表示装置は、表示部６２及び走査線駆動回路６４を有する。
【０２２９】
表示部６２において、第１の基板１１１上には、トランジスタ２５１ａ、トランジスタ４３６ａ、及び発光素子１７０等が設けられている。走査線駆動回路６４において、第１の基板１１１上には、トランジスタ２０１ａ等が設けられている。
【０２３０】
トランジスタ２５１ａは、第１のゲート電極として機能する導電層２２１と、第１のゲート絶縁層として機能する絶縁層２１１と、半導体層２３１と、ソース電極及びドレイン電極として機能する導電層２２２ａ及び導電層２２２ｂと、第２のゲート電極として機能する導電層２２３と、第２のゲート絶縁層として機能する絶縁層２２５と、を有する。半導体層２３１は、チャネル領域と低抵抗領域とを有する。チャネル領域は、絶縁層２２５を介して導電層２２３と重なる。低抵抗領域は、導電層２２２ａと接続される部分、及び、導電層２２２ｂと接続される部分を有する。
【０２３１】
トランジスタ２５１ａは、チャネルの上下にゲート電極を有する。２つのゲート電極は、電気的に接続されていることが好ましい。２つのゲート電極が電気的に接続されている構成のトランジスタは、他のトランジスタと比較して電界効果移動度を高めることが可能であり、オン電流を増大させることができる。その結果、高速動作が可能な回路を作製することができる。さらには回路部の占有面積を縮小することが可能となる。オン電流の大きなトランジスタを適用することで、表示装置を大型化、または高精細化して配線数が増大したとしても、各配線における信号遅延を低減することが可能であり、表示ムラを抑制することが可能である。また、回路部の占有面積を縮小できるため、表示装置の狭額縁化が可能である。また、このような構成を適用することで、信頼性の高いトランジスタを実現することができる。
【０２３２】
導電層２２３上には絶縁層２１２及び絶縁層２１３が設けられており、その上に、導電層２２２ａ及び導電層２２２ｂが設けられている。トランジスタ２５１ａの構造は、導電層２２１と導電層２２２ａまたは導電層２２２ｂとの物理的な距離を離すことが容易なため、これらの間の寄生容量を低減することが可能である。
【０２３３】
表示装置が有するトランジスタの構造は特に限定されない。例えば、プレーナ型のトランジスタとしてもよいし、スタガ型のトランジスタとしてもよいし、逆スタガ型のトランジスタとしてもよい。また、トップゲート構造またはボトムゲート構造のいずれのトランジスタ構造としてもよい。または、チャネルの上下にゲート電極が設けられていてもよい。
【０２３４】
トランジスタ２５１ａは、半導体層２３１に、金属酸化物を有する。金属酸化物は、酸化物半導体として機能することができる。
【０２３５】
トランジスタ４３６ａ及びトランジスタ２０１ａは、トランジスタ２５１ａと同様の構成を有する。本発明の一態様において、これらのトランジスタの構成が異なっていてもよい。駆動回路部が有するトランジスタと表示部６２が有するトランジスタは、同じ構造であってもよく、異なる構造であってもよい。駆動回路部が有するトランジスタは、全て同じ構造であってもよく、２種類以上の構造が組み合わせて用いられていてもよい。同様に、表示部６２が有するトランジスタは、全て同じ構造であってもよく、２種類以上の構造が組み合わせて用いられていてもよい。
【０２３６】
トランジスタ４３６ａは、絶縁層２１５を介して、発光素子１７０と重なる。トランジスタ、容量素子、及び配線等を、発光素子１７０の発光領域と重ねて配置することで、表示部６２の開口率を高めることができる。
【０２３７】
発光素子１７０は、画素電極１７１、ＥＬ層１７２、及び共通電極１７３を有する。発光素子１７０は、着色層１３１側に光を射出する。
【０２３８】
画素電極１７１及び共通電極１７３のうち、一方は、陽極として機能し、他方は、陰極として機能する。画素電極１７１及び共通電極１７３の間に、発光素子１７０の閾値電圧より高い電圧を印加すると、ＥＬ層１７２に陽極側から正孔が注入され、陰極側から電子が注入される。注入された電子と正孔はＥＬ層１７２において再結合し、ＥＬ層１７２に含まれる発光物質が発光する。
【０２３９】
画素電極１７１は、トランジスタ２５１ａが有する導電層２２２ｂと電気的に接続される。これらは、直接接続されてもよいし、他の導電層を介して接続されてもよい。画素電極１７１は、画素電極として機能し、発光素子１７０ごとに設けられている。隣り合う２つの画素電極１７１は、絶縁層２１６によって電気的に絶縁されている。
【０２４０】
ＥＬ層１７２は、発光性の物質を含む層である。
【０２４１】
共通電極１７３は、共通電極として機能し、複数の発光素子１７０にわたって設けられている。共通電極１７３には、定電位が供給される。
【０２４２】
発光素子１７０は、接着層１７４を介して着色層１３１と重なる。絶縁層２１６は、接着層１７４を介して遮光層１３２と重なる。
【０２４３】
発光素子１７０には、マイクロキャビティ構造を採用してもよい。カラーフィルタ（着色層１３１）とマイクロキャビティ構造との組み合わせにより、表示装置からは、色純度の高い光を取り出すことができる。
【０２４４】
着色層１３１は特定の波長域の光を透過する有色層である。例えば、赤色、緑色、青色、又は黄色の波長域の光を透過するカラーフィルタなどを用いることができる。着色層１３１に用いることのできる材料としては、金属材料、樹脂材料、顔料又は染料が含まれた樹脂材料などが挙げられる。
【０２４５】
なお、本発明の一態様は、カラーフィルタ方式に限られず、塗り分け方式、色変換方式、又は量子ドット方式等を適用してもよい。
【０２４６】
遮光層１３２は、隣接する着色層１３１の間に設けられている。遮光層１３２は隣接する発光素子１７０からの光を遮光し、隣接する発光素子１７０間における混色を抑制する。ここで、着色層１３１の端部を、遮光層１３２と重なるように設けることにより、光漏れを抑制することができる。遮光層１３２としては、発光素子１７０からの発光を遮る材料を用いることができ、例えば、金属材料、又は、顔料もしくは染料を含む樹脂材料等を用いてブラックマトリクスを形成することができる。なお、遮光層１３２は、走査線駆動回路６４などの表示部６２以外の領域に設けると、導波光などによる意図しない光漏れを抑制できるため好ましい。
【０２４７】
第１の基板１１１と第２の基板１１３は、接着層１７４によって貼り合わされている。
【０２４８】
本発明の一態様の表示装置は、ある端子群に接続される信号線と、他の端子群に接続される信号線とが交差する部分を有する（図３（Ａ）等参照）。当該部分の断面構成例を、図１８では交差部２６０として示す。交差部２６０では、導電層６５ａと導電層６５ｂが導電層６９によって電気的に接続されており、導電層６９と導電層６６が絶縁層２１１、絶縁層２１２、及び絶縁層２１３を介して重なっている。導電層６５ａ、導電層６５ｂ、及び導電層６９は、１本の信号線（または引き回し配線）の一部に相当し、導電層６６は、他の１本の信号線（または引き回し配線）の一部に相当する。これらの導電層は、トランジスタが有する導電層と同一の材料及び同一の工程で形成されることが好ましい。本実施の形態では、導電層６５ａ、導電層６５ｂ、及び導電層６６が、ソース電極及びドレイン電極として機能する導電層と同一の材料及び同一の工程で形成され、導電層６９が、ゲート電極として機能する導電層と同一の材料及び同一の工程で形成される例を示す。導電層６５ａは、導電層２５５及び接続体２４２を介して、ＦＰＣ１６２と電気的に接続される。導電層６６は、他のＦＰＣと電気的に接続される。
【０２４９】
接続体２４２としては、様々な異方性導電フィルム（ＡＣＦ：Ａｎｉｓｏｔｒｏｐｉｃ  Ｃｏｎｄｕｃｔｉｖｅ  Ｆｉｌｍ）及び異方性導電ペースト（ＡＣＰ：Ａｎｉｓｏｔｒｏｐｉｃ  Ｃｏｎｄｕｃｔｉｖｅ  Ｐａｓｔｅ）などを用いることができる。
【０２５０】
図１９に、塗り分け方式が適用されたボトムエミッション構造の発光表示装置の断面図を示す。
【０２５１】
図１９に示す表示装置は、表示部６２及び走査線駆動回路６４を有する。
【０２５２】
表示部６２において、第１の基板１１１上には、トランジスタ２５１ｂ、及び発光素子１７０等が設けられている。走査線駆動回路６４において、第１の基板１１１上には、トランジスタ２０１ｂ等が設けられている。
【０２５３】
トランジスタ２５１ｂは、ゲート電極として機能する導電層２２１と、ゲート絶縁層として機能する絶縁層２１１と、半導体層２３１と、ソース電極及びドレイン電極として機能する導電層２２２ａ及び導電層２２２ｂと、を有する。絶縁層２１６は、下地膜として機能する。
【０２５４】
トランジスタ２５１ｂは、半導体層２３１に、低温ポリシリコン（ＬＴＰＳ（Ｌｏｗ  Ｔｅｍｐｅｒａｔｕｒｅ  Ｐｏｌｙ−Ｓｉｌｉｃｏｎ））を有する。
【０２５５】
発光素子１７０は、画素電極１７１、ＥＬ層１７２、及び共通電極１７３を有する。発光素子１７０は、第１の基板１１１側に光を射出する。画素電極１７１は、絶縁層２１５に設けられた開口を介して、トランジスタ２５１ｂが有する導電層２２２ｂと電気的に接続される。ＥＬ層１７２は、発光素子１７０ごとに分離して設けられている。共通電極１７３は、複数の発光素子１７０にわたって設けられている。
【０２５６】
発光素子１７０は、絶縁層１７５によって封止されている。絶縁層１７５は、発光素子１７０に水などの不純物が拡散することを抑制する保護層として機能する。
【０２５７】
第１の基板１１１と第２の基板１１３は、接着層１７４によって貼り合わされている。
【０２５８】
交差部２６０では、導電層６５ａと導電層６５ｂが導電層６９によって電気的に接続されており、導電層６９と導電層６６が絶縁層２１２を介して重なっている。導電層６５ａ、導電層６５ｂ、及び導電層６９は、１本の信号線（または引き回し配線）の一部に相当し、導電層６６は、他の１本の信号線（または引き回し配線）の一部に相当する。導電層６５ａは、導電層２５５及び接続体２４２を介して、ＦＰＣ１６２と電気的に接続される。導電層６６は、他のＦＰＣと電気的に接続される。
【０２５９】
図２０に、横電界方式が適用された透過型液晶表示装置の断面図を示す。
【０２６０】
図２０に示す表示装置は、表示部６２及び走査線駆動回路６４を有する。
【０２６１】
表示部６２において、第１の基板１１１上には、トランジスタ４３６ｃ、及び液晶素子１８０等が設けられている。走査線駆動回路６４において、第１の基板１１１上には、トランジスタ２０１ｃ等が設けられている。
【０２６２】
トランジスタ４３６ｃは、ゲート電極として機能する導電層２２１と、ゲート絶縁層として機能する絶縁層２１１と、半導体層２３１と、不純物半導体層２３２と、ソース電極及びドレイン電極として機能する導電層２２２ａ及び導電層２２２ｂと、を有する。トランジスタ４３６ｃは、絶縁層２１２に覆われている。
【０２６３】
トランジスタ４３６ｃは、半導体層２３１に、アモルファスシリコンを有する。
【０２６４】
液晶素子１８０は、ＦＦＳ（Ｆｒｉｎｇｅ  Ｆｉｅｌｄ  Ｓｗｉｔｃｈｉｎｇ）モードが適用された液晶素子である。液晶素子１８０は、画素電極１８１、共通電極１８２、及び液晶層１８３を有する。画素電極１８１と共通電極１８２との間に生じる電界により、液晶層１８３の配向を制御することができる。液晶層１８３は、配向膜１３３ａと配向膜１３３ｂの間に位置する。画素電極１８１は、絶縁層２１５に設けられた開口を介して、トランジスタ４３６ｃが有する導電層２２２ｂと電気的に接続される。共通電極１８２は、櫛歯状の上面形状（平面形状ともいう）、またはスリットが設けられた上面形状を有していてもよい。共通電極１８２には、１つまたは複数の開口を設けることができる。
【０２６５】
画素電極１８１と共通電極１８２の間には、絶縁層２２０が設けられている。画素電極１８１は、絶縁層２２０を介して共通電極１８２と重なる部分を有する。また、画素電極１８１と着色層１３１とが重なる領域において、画素電極１８１上に共通電極１８２が配置されていない部分を有する。
【０２６６】
液晶層１８３と接する配向膜を設けることが好ましい。配向膜は、液晶層１８３の配向を制御することができる。
【０２６７】
バックライトユニット５２からの光は、第１の基板１１１、画素電極１８１、共通電極１８２、液晶層１８３、着色層１３１、及び第２の基板１１３を介して、表示装置の外部に射出される。バックライトユニット５２の光が透過するこれらの層の材料には、可視光を透過する材料を用いる。
【０２６８】
着色層１３１及び遮光層１３２と、液晶層１８３と、の間には、オーバーコート１２１を設けることが好ましい。オーバーコート１２１は、着色層１３１及び遮光層１３２等に含まれる不純物が液晶層１８３に拡散することを抑制できる。
【０２６９】
第１の基板１１１と第２の基板１１３は、接着層１４１によって貼り合わされている。第１の基板１１１、第２の基板１１３、接着層１４１に囲まれた領域に、液晶層１８３が封止されている。
【０２７０】
表示装置の表示部６２を挟むように、偏光板１２５ａ及び偏光板１２５ｂが配置されている。偏光板１２５ａよりも外側に配置されたバックライトユニット５２からの光は偏光板１２５ａを介して表示装置に入射する。このとき、画素電極１８１と共通電極１８２の間に与える電圧によって液晶層１８３の配向を制御し、光の光学変調を制御することができる。すなわち、偏光板１２５ｂを介して射出される光の強度を制御することができる。また、入射光は着色層１３１によって特定の波長領域以外の光が吸収されるため、射出される光は例えば赤色、青色、または緑色を呈する光となる。
【０２７１】
交差部２６０では、導電層６５ａと導電層６５ｂが導電層６９によって電気的に接続されており、導電層６９と導電層６６が絶縁層２１２を介して重なっている。導電層６５ａ、導電層６５ｂ、及び導電層６９は、１本の信号線（または引き回し配線）の一部に相当し、導電層６６は、他の１本の信号線（または引き回し配線）の一部に相当する。導電層６５ａは、導電層２５５及び接続体２４２を介して、ＦＰＣ１６２と電気的に接続される。導電層６６は、他のＦＰＣと電気的に接続される。
【０２７２】
図２１に、縦電界方式が適用された透過型液晶表示装置の断面図を示す。
【０２７３】
図２１に示す表示装置は、表示部６２及び走査線駆動回路６４を有する。
【０２７４】
表示部６２において、第１の基板１１１上には、トランジスタ４３６ｄ、及び液晶素子１８０等が設けられている。走査線駆動回路６４において、第１の基板１１１上には、トランジスタ２０１ｄ等が設けられている。図２１に示す表示装置では、着色層１３１が第１の基板１１１側に設けられている。これにより、第２の基板１１３側の構成を簡略化できる。
【０２７５】
トランジスタ４３６ｄは、ゲート電極として機能する導電層２２１と、ゲート絶縁層として機能する絶縁層２１１と、半導体層２３１と、不純物半導体層２３２と、ソース電極及びドレイン電極として機能する導電層２２２ａ及び導電層２２２ｂと、を有する。トランジスタ４３６ｄは、絶縁層２１７及び絶縁層２１８に覆われている。
【０２７６】
トランジスタ４３６ｄは、半導体層２３１に、金属酸化物を有する。
【０２７７】
液晶素子１８０は、画素電極１８１、共通電極１８２、及び液晶層１８３を有する。液晶層１８３は、画素電極１８１と共通電極１８２との間に位置する。配向膜１３３ａは画素電極１８１に接して設けられている。配向膜１３３ｂは共通電極１８２に接して設けられている。画素電極１８１は、絶縁層２１５に設けられた開口を介して、トランジスタ４３６ｄが有する導電層２２２ｂと電気的に接続される。
【０２７８】
バックライトユニット５２からの光は、第１の基板１１１、着色層１３１、画素電極１８１、液晶層１８３、共通電極１８２、及び第２の基板１１３を介して、表示装置の外部に射出される。バックライトユニット５２の光が透過するこれらの層の材料には、可視光を透過する材料を用いる。
【０２７９】
遮光層１３２と、共通電極１８２と、の間には、オーバーコート１２１が設けられている。
【０２８０】
第１の基板１１１と第２の基板１１３は、接着層１４１によって貼り合わされている。第１の基板１１１、第２の基板１１３、接着層１４１に囲まれた領域に、液晶層１８３が封止されている。
【０２８１】
表示装置の表示部６２を挟むように、偏光板１２５ａ及び偏光板１２５ｂが配置されている。
【０２８２】
交差部２６０では、導電層６５ａと導電層６５ｂが導電層６９によって電気的に接続されており、導電層６９と導電層６６が絶縁層２１２を介して重なっている。導電層６５ａ、導電層６５ｂ、及び導電層６９は、１本の信号線（または引き回し配線）の一部に相当し、導電層６６は、他の１本の信号線（または引き回し配線）の一部に相当する。導電層６５ａは、導電層２５５及び接続体２４２を介して、ＦＰＣ１６２と電気的に接続される。導電層６６は、他のＦＰＣと電気的に接続される。
【０２８３】
＜１−９．トランジスタの構成例＞
次に、図２２〜図２４を用いて、図１８〜図２１に示した構成とは異なるトランジスタの構成例について説明する。
【０２８４】
図２２（Ａ）〜（Ｃ）及び図２３（Ａ）〜（Ｄ）に、半導体層３２に金属酸化物を有するトランジスタを示す。半導体層３２に金属酸化物を用いることにより、映像に変化がない期間、又は変化が一定以下である期間において、映像信号の更新の頻度を極めて低く設定することができ、消費電力の削減を図ることができる。
【０２８５】
各トランジスタは、絶縁表面１１上に設けられている。各トランジスタは、ゲート電極として機能する導電層３１と、ゲート絶縁層として機能する絶縁層３４と、半導体層３２と、ソース電極及びドレイン電極として機能する一対の導電層３３ａ及び導電層３３ｂと、を有する。半導体層３２の、導電層３１と重畳する部分は、チャネル形成領域として機能する。導電層３３ａ及び導電層３３ｂは、それぞれ半導体層３２と接して設けられる。
【０２８６】
図２２（Ａ）に示すトランジスタは、半導体層３２のチャネル形成領域上に、絶縁層８４を有する。絶縁層８４は、導電層３３ａ及び導電層３３ｂのエッチングの際のエッチングストッパーとして機能する。
【０２８７】
図２２（Ｂ）に示すトランジスタは、絶縁層８４が、半導体層３２を覆って絶縁層３４上に延在している構成を有する。この場合、導電層３３ａ及び導電層３３ｂは、絶縁層８４に設けられた開口を介して、半導体層３２と接続される。
【０２８８】
図２２（Ｃ）に示すトランジスタは、絶縁層８５及び導電層８６を有する。絶縁層８５は、半導体層３２、導電層３３ａ、導電層３３ｂを覆って設けられている。また、導電層８６は絶縁層８５上に設けられ、半導体層３２と重なる領域を有する。
【０２８９】
導電層８６は、半導体層３２を挟んで導電層３１とは反対側に位置している。導電層３１を第１のゲート電極とした場合、導電層８６は、第２のゲート電極として機能することができる。導電層３１と導電層８６に同じ電位を与えることで、トランジスタのオン電流を高めることができる。また、導電層３１と導電層８６の一方にしきい値電圧を制御するための電位を与え、他方に駆動のための電位を与えることで、トランジスタのしきい値電圧を制御することができる。
【０２９０】
図２３（Ａ）はトランジスタ２００ａのチャネル長方向の断面図であり、図２３（Ｂ）はトランジスタ２００ａのチャネル幅方向の断面図である。
【０２９１】
トランジスタ２００ａは、図２１に示すトランジスタ２０１ｄの変形例である。
【０２９２】
トランジスタ２００ａは、トランジスタ２０１ｄと比較して、半導体層３２が異なる。
【０２９３】
トランジスタ２００ａにおいて、半導体層３２は、絶縁層３４上の半導体層３２＿１と、半導体層３２＿１上の半導体層３２＿２と、を有する。
【０２９４】
半導体層３２＿１及び半導体層３２＿２は同じ元素を有することが好ましい。半導体層３２＿１及び半導体層３２＿２はそれぞれＩｎと、Ｍ（ＭはＧａ、Ａｌ、Ｙ、またはＳｎ）と、Ｚｎと、を有すると好ましい。
【０２９５】
半導体層３２＿１及び半導体層３２＿２は、それぞれ、Ｉｎの原子数比がＭの原子数比より多い領域を有すると好ましい。一例としては、半導体層３２＿１及び半導体層３２＿２のＩｎ、Ｍ、及びＺｎの原子数の比を、Ｉｎ：Ｍ：Ｚｎ＝４：２：３近傍とすると好ましい。ここで、近傍とは、Ｉｎが４の場合、Ｍが１．５以上２．５以下であり、かつＺｎが２以上４以下を含む。または、半導体層３２＿１及び半導体層３２＿２のＩｎ、Ｍ、及びＺｎの原子数の比を、Ｉｎ：Ｍ：Ｚｎ＝５：１：６近傍とすると好ましい。このように、半導体層３２＿１及び半導体層３２＿２を概略同じ組成とすることで、同じスパッタリングターゲットを用いて形成できるため、製造コストを抑制することが可能である。また、同じスパッタリングターゲットを用いる場合、同一チャンバーにて真空中で連続して半導体層３２＿１及び半導体層３２＿２を成膜することができるため、半導体層３２＿１と半導体層３２＿２との界面に不純物が取り込まれるのを抑制することができる。
【０２９６】
半導体層３２＿１は、半導体層３２＿２よりも結晶性が低い領域を有していてもよい。なお、半導体層３２＿１及び半導体層３２＿２の結晶性は、例えば、Ｘ線回折（ＸＲＤ：Ｘ−Ｒａｙ  Ｄｉｆｆｒａｃｔｉｏｎ）を用いて分析する、あるいは、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）を用いて分析することで解析できる。
【０２９７】
半導体層３２＿１の結晶性が低い領域が過剰酸素の拡散経路となり、半導体層３２＿１よりも結晶性の高い半導体層３２＿２にも過剰酸素を拡散させることができる。このように、結晶構造が異なる半導体層の積層構造とし、結晶性の低い領域を過剰酸素の拡散経路とすることで、信頼性の高いトランジスタを提供することができる。
【０２９８】
また、半導体層３２＿２が、半導体層３２＿１より結晶性が高い領域を有することにより、半導体層３２に混入しうる不純物を抑制することができる。特に、半導体層３２＿２の結晶性を高めることで、導電層３３ａ及び導電層３３ｂを加工する際のダメージを抑制することができる。半導体層３２の表面、すなわち半導体層３２＿２の表面は、導電層３３ａ及び導電層３３ｂの加工の際のエッチャントまたはエッチングガスに曝される。しかしながら、半導体層３２＿２は、結晶性が高い領域を有する場合、結晶性が低い半導体層３２＿１と比較してエッチング耐性に優れる。したがって、半導体層３２＿２は、エッチングストッパーとしての機能を有する。
【０２９９】
半導体層３２＿１は、半導体層３２＿２よりも結晶性が低い領域を有することで、キャリア密度が高くなる場合がある。
【０３００】
半導体層３２＿１のキャリア密度が高くなると、半導体層３２＿１の伝導帯に対してフェルミ準位が相対的に高くなる場合がある。これにより、半導体層３２＿１の伝導帯の下端が低くなり、半導体層３２＿１の伝導帯下端と、ゲート絶縁層（ここでは、絶縁層３４）中に形成されうるトラップ準位とのエネルギー差が大きくなる場合がある。該エネルギー差が大きくなることにより、ゲート絶縁層中にトラップされる電荷が少なくなり、トランジスタのしきい値電圧の変動を小さくできる場合がある。また、半導体層３２＿１のキャリア密度が高くなると、半導体層３２の電界効果移動度を高めることができる。
【０３０１】
なお、トランジスタ２００ａにおいては、半導体層３２を２層の積層構造にする例を示したが、これに限定されず、３層以上積層する構成にしてもよい。
【０３０２】
また、導電層３３ａ及び導電層３３ｂ上に設けられた絶縁層３６の構成について説明する。
【０３０３】
トランジスタ２００ａにおいて、絶縁層３６は、絶縁層３６ａと、絶縁層３６ａ上の絶縁層３６ｂとを有する。絶縁層３６ａは、半導体層３２に酸素を供給する機能と、不純物（代表的には、水、水素等）の入り込みを抑制する機能と、を有する。絶縁層３６ａとしては、酸化アルミニウム膜、酸化窒化アルミニウム膜、または窒化酸化アルミニウム膜を用いることができる。特に、絶縁層３６ａは、反応性スパッタリング法によって形成される酸化アルミニウム膜であることが好ましい。なお、反応性スパッタリング法で酸化アルミニウム膜を形成する方法の一例としては、以下に示す方法が挙げられる。
【０３０４】
まず、スパッタリングチャンバー内に、不活性ガス（代表的にはＡｒガス）と、酸素ガスと、を混合したガスを導入する。続けて、スパッタリングチャンバーに配置されたアルミニウムターゲットに電圧を印加することで、酸化アルミニウム膜を成膜することができる。なお、アルミニウムターゲットに電圧を印加する電源としては、ＤＣ電源、ＡＣ電源、またはＲＦ電源が挙げられる。特に、ＤＣ電源を用いると生産性が向上するため好ましい。
【０３０５】
絶縁層３６ｂは、不純物（代表的には水、水素等）の入り込みを抑制する機能を有する。絶縁層３６ｂとしては、窒化シリコン膜、窒化酸化シリコン膜、酸化窒化シリコン膜を用いることができる。特に、絶縁層３６ｂとしては、ＰＥＣＶＤ法によって形成される窒化シリコン膜が好ましい。ＰＥＣＶＤ法によって形成される窒化シリコン膜は、高い膜密度を得られやすいため好ましい。なお、ＰＥＣＶＤ法によって形成される窒化シリコン膜は、膜中の水素濃度が高い場合がある。
【０３０６】
トランジスタ２００ａにおいては、絶縁層３６ｂの下層には絶縁層３６ａが配置されているため、絶縁層３６ｂに含まれる水素は、半導体層３２側に拡散しない、または拡散し難い。
【０３０７】
なお、トランジスタ２００ａは、シングルゲートのトランジスタである。シングルゲートのトランジスタとすることで、マスク枚数を低減できるため、生産性を高めることができる。
【０３０８】
図２３（Ｃ）はトランジスタ２００ｂのチャネル長方向の断面図であり、図２３（Ｄ）はトランジスタ２００ｂのチャネル幅方向の断面図である。
【０３０９】
トランジスタ２００ｂは、図２２（Ｂ）に示すトランジスタの変形例である。
【０３１０】
トランジスタ２００ｂは、図２２（Ｂ）に示すトランジスタと比較し、半導体層３２及び絶縁層８４の構成が異なる。具体的には、トランジスタ２００ｂは、半導体層３２が２層構造であり、絶縁層８４の代わりに絶縁層８４ａを有する。さらに、トランジスタ２００ｂは、絶縁層３６ｂ及び導電層８６を有する。
【０３１１】
絶縁層８４ａは、上記絶縁層３６ａと同様の機能を有する。
【０３１２】
開口部５３では、絶縁層３４、絶縁層８４ａ、及び絶縁層３６ｂに開口が設けられている。導電層８６は、開口部５３を介して、導電層３１と電気的に接続される。
【０３１３】
トランジスタ２００ａ及びトランジスタ２００ｂの構造とすることで、大きな設備投資を行わずに、既存の生産ラインを用いて製造することができる。例えば、水素化アモルファスシリコンの製造工場を、酸化物半導体の製造工場に簡易的に置き換えることが可能となる。
【０３１４】
図２４（Ａ）〜（Ｆ）に、半導体層３２にシリコンを有するトランジスタを示す。
【０３１５】
各トランジスタは、絶縁表面１１上に設けられている。各トランジスタは、ゲート電極として機能する導電層３１と、ゲート絶縁層として機能する絶縁層３４と、半導体層３２及び半導体層３２ｐの一方または双方と、ソース電極及びドレイン電極として機能する一対の導電層３３ａ及び導電層３３ｂと、不純物半導体層３５と、を有する。半導体層の、導電層３１と重畳する部分は、チャネル形成領域として機能する。半導体層と導電層３３ａまたは導電層３３ｂとは接して設けられる。
【０３１６】
図２４（Ａ）に示すトランジスタは、ボトムゲート・チャネルエッチ構造のトランジスタである。半導体層３２と導電層３３ａ及び導電層３３ｂとの間に、不純物半導体層３５を有する。
【０３１７】
図２４（Ａ）に示すトランジスタは、半導体層３２と不純物半導体層３５の間に、半導体層３７を有する。
【０３１８】
半導体層３７は、半導体層３２と同様の半導体膜により形成されていてもよい。半導体層３７は、不純物半導体層３５のエッチングの際に、半導体層３２がエッチングにより消失することを防ぐためのエッチングストッパーとして機能させることができる。なお、図２４（Ａ）において、半導体層３７が左右に分離している例を示しているが、半導体層３７の一部が半導体層３２のチャネル形成領域を覆っていてもよい。
【０３１９】
また、半導体層３７は、不純物半導体層３５よりも低濃度の不純物が含まれていてもよい。これにより、半導体層３７をＬＤＤ（Ｌｉｇｈｔｌｙ  Ｄｏｐｅｄ  Ｄｒａｉｎ）領域として機能させることができ、トランジスタを駆動させたときのホットキャリア劣化を抑制することができる。
【０３２０】
図２４（Ｂ）に示すトランジスタは、半導体層３２のチャネル形成領域上に、絶縁層８４が設けられている。絶縁層８４は、不純物半導体層３５のエッチングの際のエッチングストッパーとして機能する。
【０３２１】
図２４（Ｃ）に示すトランジスタは、半導体層３２に代えて、半導体層３２ｐを有する。半導体層３２ｐは、結晶性の高い半導体膜を含む。例えば半導体層３２ｐは、多結晶半導体または単結晶半導体を含む。これにより、電界効果移動度の高いトランジスタとすることができる。
【０３２２】
図２４（Ｄ）に示すトランジスタは、半導体層３２のチャネル形成領域に半導体層３２ｐを有する。例えば図２４（Ｄ）に示すトランジスタは、半導体層３２となる半導体膜に対してレーザ光などを照射し、当該半導体膜を局所的に結晶化することにより形成することができる。これにより、電界効果移動度の高いトランジスタを実現できる。
【０３２３】
図２４（Ｅ）に示すトランジスタは、図２４（Ａ）で示したトランジスタの半導体層３２のチャネル形成領域に、結晶性の半導体層３２ｐを有する。
【０３２４】
図２４（Ｆ）に示すトランジスタは、図２４（Ｂ）で示したトランジスタの半導体層３２のチャネル形成領域に、結晶性の半導体層３２ｐを有する。
【０３２５】
［半導体層について］
本発明の一態様で開示されるトランジスタに用いる半導体材料の結晶性は特に限定されず、非晶質半導体、結晶性を有する半導体（微結晶半導体、多結晶半導体、単結晶半導体、または一部に結晶領域を有する半導体）のいずれを用いてもよい。結晶性を有する半導体を用いると、トランジスタ特性の劣化を抑制できるため好ましい。
【０３２６】
トランジスタに用いる半導体材料としては、エネルギーギャップが２ｅＶ以上、好ましくは２．５ｅＶ以上、より好ましくは３ｅＶ以上である金属酸化物を用いることができる。代表的には、インジウムを含む金属酸化物などであり、例えば、後述するＣＡＣ−ＯＳなどを用いることができる。
【０３２７】
シリコンよりもバンドギャップが広く、且つキャリア密度の小さい金属酸化物を用いたトランジスタは、その低いオフ電流により、トランジスタと直列に接続された容量素子に蓄積した電荷を長期間に亘って保持することが可能である。
【０３２８】
半導体層は、例えばインジウム、亜鉛、及びＭ（アルミニウム、チタン、ガリウム、ゲルマニウム、イットリウム、ジルコニウム、ランタン、セリウム、スズ、ネオジムまたはハフニウム等の金属）を含むＩｎ−Ｍ−Ｚｎ系酸化物で表記される膜とすることができる。
【０３２９】
半導体層を構成する金属酸化物がＩｎ−Ｍ−Ｚｎ系酸化物の場合、Ｉｎ−Ｍ−Ｚｎ酸化物を成膜するために用いるスパッタリングターゲットの金属元素の原子数比は、Ｉｎ≧Ｍ、Ｚｎ≧Ｍを満たすことが好ましい。このようなスパッタリングターゲットの金属元素の原子数比として、Ｉｎ：Ｍ：Ｚｎ＝１：１：１、Ｉｎ：Ｍ：Ｚｎ＝１：１：１．２、Ｉｎ：Ｍ：Ｚｎ＝３：１：２、Ｉｎ：Ｍ：Ｚｎ＝４：２：３、Ｉｎ：Ｍ：Ｚｎ＝４：２：４．１、Ｉｎ：Ｍ：Ｚｎ＝５：１：６、Ｉｎ：Ｍ：Ｚｎ＝５：１：７、Ｉｎ：Ｍ：Ｚｎ＝５：１：８等が好ましい。なお、成膜される半導体層の原子数比はそれぞれ、上記のスパッタリングターゲットに含まれる金属元素の原子数比のプラスマイナス４０％の変動を含む。
【０３３０】
半導体層に好適な金属酸化物の詳細については、実施の形態４を参照できる。
【０３３１】
また、トランジスタに用いる半導体材料としては、例えばシリコンを用いることができる。シリコンとして、特にアモルファスシリコンを用いることが好ましい。アモルファスシリコンを用いることで、大型の基板上に歩留り良くトランジスタを形成でき、量産性を高めることができる。
【０３３２】
また、微結晶シリコン、多結晶シリコン、単結晶シリコンなどの結晶性を有するシリコンを用いることもできる。特に、多結晶シリコンは、単結晶シリコンに比べて低温で形成でき、且つアモルファスシリコンに比べて高い電界効果移動度と高い信頼性を備える。
【０３３３】
以上のように、本発明の一態様の表示モジュールでは、表示部を複数の領域に分断し、それぞれに走査線駆動回路及び信号線駆動回路を電気的に接続する。そして、複数の領域で同時に画像を書き換えることで、電界効果移動度の低いトランジスタを適用した場合でも、フレーム期間中の画像の書き換えを実現できる。また、例えば、８Ｋの表示モジュールを作製する際に、４Ｋの表示モジュール用のＩＣ及びプリント基板を転用でき、高解像度の表示モジュールの作製が容易となる。
【０３３４】
また、本発明の一態様の表示モジュールでは、表示部の分割された２つの領域の間に、第１の信号線駆動回路と電気的に接続される信号線と、第２の信号線駆動回路と電気的に接続される信号線と、が混在する領域を設ける。これにより、２つの領域の境界が分割縞として観察者に認識されることを抑制できる。したがって、高解像度で大型の表示モジュールの表示品位を高めることができる。
【０３３５】
本実施の形態は、他の実施の形態と適宜組み合わせることができる。また、本明細書において、１つの実施の形態の中に、複数の構成例が示される場合は、構成例を適宜組み合わせることが可能である。
【０３３６】
（実施の形態２）
本実施の形態では、本発明の一態様で開示されるトランジスタの半導体層に用いることができる金属酸化物について説明する。なお、トランジスタの半導体層に金属酸化物を用いる場合、当該金属酸化物を酸化物半導体と読み替えてもよい。
【０３３７】
酸化物半導体は、単結晶酸化物半導体と、非単結晶酸化物半導体と、に分けられる。非単結晶酸化物半導体としては、ＣＡＡＣ−ＯＳ（ｃ−ａｘｉｓ−ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）、及び非晶質酸化物半導体などがある。
【０３３８】
また、本発明の一態様で開示されるトランジスタの半導体層には、ＣＡＣ−ＯＳ（Ｃｌｏｕｄ−Ａｌｉｇｎｅｄ  Ｃｏｍｐｏｓｉｔｅ  ｏｘｉｄｅ  ｓｅｍｉｃｏｎｄｕｃｔｏｒ）を用いてもよい。
【０３３９】
なお、本発明の一態様で開示されるトランジスタの半導体層は、上述した非単結晶酸化物半導体またはＣＡＣ−ＯＳを好適に用いることができる。また、非単結晶酸化物半導体としては、ｎｃ−ＯＳまたはＣＡＡＣ−ＯＳを好適に用いることができる。
【０３４０】
なお、本発明の一態様では、トランジスタの半導体層として、ＣＡＣ−ＯＳを用いると好ましい。ＣＡＣ−ＯＳを用いることで、トランジスタに高い電気特性または高い信頼性を付与することができる。
【０３４１】
以下では、ＣＡＣ−ＯＳの詳細について説明する。
【０３４２】
ＣＡＣ−ＯＳまたはＣＡＣ−ｍｅｔａｌ  ｏｘｉｄｅは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０３４３】
また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０３４４】
また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０３４５】
また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０３４６】
すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）または金属マトリックス複合材（ｍｅｔａｌ  ｍａｔｒｉｘ  ｃｏｍｐｏｓｉｔｅ）と呼称することもできる。
【０３４７】
ＣＡＣ−ＯＳは、例えば、金属酸化物を構成する元素が、０．５ｎｍ以上１０ｎｍ以下、好ましくは、１ｎｍ以上２ｎｍ以下またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下またはその近傍のサイズで混合した状態をモザイク状またはパッチ状ともいう。
【０３４８】
なお、金属酸化物は、少なくともインジウムを含むことが好ましい。特にインジウム及び亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種または複数種が含まれていてもよい。
【０３４９】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、及びＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、及びＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０３５０】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０３５１】
なお、ＩＧＺＯは通称であり、Ｉｎ、Ｇａ、Ｚｎ、及びＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０３５２】
上記結晶性の化合物は、単結晶構造、多結晶構造、またはＣＡＡＣ（ｃ−ａｘｉｓ  ａｌｉｇｎｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０３５３】
一方、ＣＡＣ−ＯＳは、金属酸化物の材料構成に関する。ＣＡＣ−ＯＳとは、Ｉｎ、Ｇａ、Ｚｎ、及びＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０３５４】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０３５５】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０３５６】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０３５７】
ＣＡＣ−ＯＳは、例えば基板を意図的に加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０３５８】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、及びｃ軸方向の配向は見られないことが分かる。
【０３５９】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、及び断面方向において、配向性を有さないｎｃ（ｎａｎｏ−ｃｒｙｓｔａｌ）構造を有することがわかる。
【０３６０】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０３６１】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０３６２】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０３６３】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０３６４】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、及び高い電界効果移動度（μ）を実現することができる。
【０３６５】
また、ＣＡＣ−ＯＳを用いた半導体素子は、信頼性が高い。従って、ＣＡＣ−ＯＳは、ディスプレイをはじめとするさまざまな半導体装置に最適である。
【０３６６】
本実施の形態は、他の実施の形態と適宜組み合わせることができる。
【０３６７】
（実施の形態３）
本実施の形態では、トランジスタの半導体層に用いることのできるシリコンの結晶化方法（多結晶シリコンの形成方法）及びレーザ結晶化装置の一例について説明する。
【０３６８】
結晶性の良好な多結晶シリコン層を形成するには、基板上に非晶質シリコン層を設け、当該非晶質シリコン層にレーザ光を照射して結晶化することが好ましい。例えば、レーザ光を線状ビームとし、当該線状ビームを非晶質シリコン層に照射しながら基板を移動させることで、基板上の所望の領域に多結晶シリコン層を形成することができる。
【０３６９】
線状ビームを用いた方法は、スループットが比較的良好である。一方で、ある領域に対してレーザ光が相対的に移動しながら複数回照射される方法であるため、レーザ光の出力変動及びそれに起因するビームプロファイルの変化による結晶性のばらつきが生じやすい。例えば、当該方法で結晶化させた半導体層を表示装置の画素が有するトランジスタに用いると、結晶性のばらつきに起因したランダムな縞模様が表示に見えることがある。
【０３７０】
また、線状ビームの長さは基板の一辺の長さ以上であることが理想的であるが、線状ビームの長さは、レーザ発振器の出力と光学系の構成によって制限される。したがって、大型基板の処理では基板面内を折り返してレーザ照射することが現実的である。そのため、レーザ光をオーバーラップして照射する領域が生じる。当該領域の結晶性は、他の領域の結晶性と異なりやすいため、当該領域では表示ムラが生じることがある。
【０３７１】
上記のような問題を抑えるために、基板上に形成した非晶質シリコン層に局所的にレーザ照射を行って結晶化させてもよい。局所的なレーザ照射では、結晶性のばらつきの少ない多結晶シリコン層を形成しやすい。
【０３７２】
図２５（Ａ）は、基板上に形成した非晶質シリコン層に局所的にレーザ照射を行う方法を説明する図である。
【０３７３】
光学系ユニット８２１から射出されるレーザ光８２６は、ミラー８２２で反射されてマイクロレンズアレイ８２３に入射する。マイクロレンズアレイ８２３は、レーザ光８２６を集光して複数のレーザビーム８２７を形成する。
【０３７４】
ステージ８１５には、非晶質シリコン層８４０を形成した基板８３０が固定される。非晶質シリコン層８４０に複数のレーザビーム８２７を照射することで、複数の多結晶シリコン層８４１を同時に形成することができる。
【０３７５】
マイクロレンズアレイ８２３が有する個々のマイクロレンズは、表示装置の画素ピッチに合わせて設けることが好ましい。または、画素ピッチの整数倍の間隔で設けてもよい。いずれの場合においても、レーザ照射とステージ８１５のＸ方向またはＹ方向の移動を繰り返すことで、全ての画素に対応した領域に多結晶シリコン層を形成することができる。
【０３７６】
例えば、マイクロレンズアレイ８２３が画素ピッチでＭ行Ｎ列（Ｍ、Ｎは自然数）のマイクロレンズを有するとき、まず所定の開始位置でレーザ光を照射し、Ｍ行Ｎ列の多結晶シリコン層８４１を形成することができる。そして、行方向にＮ列分の距離だけ移動させてレーザ光を照射し、さらにＭ行Ｎ列の多結晶シリコン層８４１を形成することで、Ｍ行２Ｎ列の多結晶シリコン層８４１を形成することができる。当該工程を繰り返し行うことで所望の領域に複数の多結晶シリコン層８４１を形成することができる。また、折り返してレーザ照射工程を行う場合は、行方向にＮ列分の距離だけ移動させてレーザ照射を行い、さらに列方向にＭ行分の距離の移動とレーザ光の照射を繰り返せばよい。
【０３７７】
なお、レーザ光の発振周波数とステージ８１５の移動速度を適切に調整すれば、ステージ８１５を一方向に移動させながらレーザ照射を行う方法でも、画素ピッチで多結晶シリコン層を形成することができる。
【０３７８】
レーザビーム８２７のサイズは、例えば、一つのトランジスタの半導体層全体が含まれる程度の面積とすることができる。または、一つのトランジスタのチャネル領域全体が含まれる程度の面積とすることができる。または、一つのトランジスタのチャネル領域の一部が含まれる程度の面積とすることができる。これらは、必要とするトランジスタの電気特性に応じて使い分ければよい。
【０３７９】
なお、一つの画素に複数のトランジスタを有する表示装置を対象とした場合、レーザビーム８２７のサイズは、一つの画素内の各トランジスタの半導体層全体が含まれる程度の面積とすることができる。また、レーザビーム８２７のサイズは、複数の画素が有するトランジスタの半導体層全体が含まれる程度の面積としてもよい。
【０３８０】
また、図２６（Ａ）に示すように、ミラー８２２とマイクロレンズアレイ８２３との間にマスク８２４を設けてもよい。マスク８２４には、各マイクロレンズに対応した複数の開口部が設けられる。当該開口部の形状はレーザビーム８２７の形状に反映させることができ、図２６（Ａ）のようにマスク８２４が円形の開口部を有する場合は、円形のレーザビーム８２７を得ることができる。また、マスク８２４が矩形の開口部を有する場合は、矩形のレーザビーム８２７を得ることができる。マスク８２４は、例えば、トランジスタのチャネル領域のみを結晶化させたい場合などに有効である。なお、マスク８２４は、図２６（Ｂ）に示すように光学系ユニット８２１とミラー８２２との間に設けてもよい。
【０３８１】
図２５（Ｂ）は、上記に示した局所的なレーザ照射の工程に用いることのできるレーザ結晶化装置の主要な構成を説明する斜視図である。レーザ結晶化装置は、Ｘ−Ｙステージの構成要素である移動機構８１２、移動機構８１３及びステージ８１５を有する。また、レーザビーム８２７を成形するためのレーザ発振器８２０、光学系ユニット８２１、ミラー８２２、マイクロレンズアレイ８２３を有する。
【０３８２】
移動機構８１２及び移動機構８１３は、水平方向に往復直線運動をする機能を備える。移動機構８１２及び移動機構８１３に動力を与える機構としては、例えば、モータで駆動するボールネジ機構８１６などを用いることができる。移動機構８１２及び移動機構８１３のそれぞれの移動方向は垂直に交わるため、移動機構８１３に固定されるステージ８１５はＸ方向及びＹ方向に自在に移動させることができる。
【０３８３】
ステージ８１５は真空吸着機構などの固定機構を有し、基板８３０などを固定することができる。また、ステージ８１５は、必要に応じて加熱機構を有していてもよい。なお、図示はしていないが、ステージ８１５はプッシャーピン及びその上下機構を有し、基板８３０などを搬出入する際は、基板８３０などを上下に移動させることができる。
【０３８４】
レーザ発振器８２０は、処理の目的に適した波長及び強度の光が出力できればよく、パルスレーザが好ましいがＣＷレーザであってもよい。代表的には、波長３５１〜３５３ｎｍ（ＸｅＦ）、３０８ｎｍ（ＸｅＣｌ）などの紫外光を照射できるエキシマレーザを用いることができる。または、固体レーザ（ＹＡＧレーザ、ファイバーレーザなど）の二倍波（５１５ｎｍ、５３２ｎｍなど）または三倍波（３４３ｎｍ、３５５ｎｍなど）を用いてもよい。また、レーザ発振器８２０は複数であってもよい。
【０３８５】
光学系ユニット８２１は、例えば、ミラー、ビームエクスパンダ、ビームホモジナイザ等を有し、レーザ発振器８２０から出力されるレーザ光８２５のエネルギーの面内分布を均一化させつつ伸張させることができる。
【０３８６】
ミラー８２２には、例えば、誘電体多層膜ミラーを用いることができ、レーザ光の入射角が略４５°となるように設置する。マイクロレンズアレイ８２３には、例えば、石英板の上面または上下面に複数の凸レンズが設けられたような形状とすることができる。
【０３８７】
以上のレーザ結晶化装置を用いることにより、結晶性のばらつきの少ない多結晶シリコン層を形成することができる。
【０３８８】
本実施の形態は、他の実施の形態と適宜組み合わせることができる。
【０３８９】
（実施の形態４）
本実施の形態では、本発明の一態様の電子機器について、図２７を用いて説明する。
【０３９０】
本実施の形態の電子機器は、表示部に本発明の一態様の表示装置を有する。したがって、高い解像度が実現された電子機器である。また高い解像度と、大きな画面が両立された電子機器とすることができる。
【０３９１】
本実施の形態の電子機器の表示部には、例えばフルハイビジョン、４Ｋ２Ｋ、８Ｋ４Ｋ、１６Ｋ８Ｋ、またはそれ以上の解像度を有する映像を表示させることができる。また、表示部の画面サイズとしては、対角２０インチ以上、対角３０インチ以上、対角５０インチ以上、対角６０インチ以上、または対角７０インチ以上とすることができる。
【０３９２】
電子機器としては、例えば、テレビジョン装置、デスクトップ型もしくはノート型のパーソナルコンピュータ、コンピュータ用などのモニタ、デジタルサイネージ（Ｄｉｇｉｔａｌ  Ｓｉｇｎａｇｅ：電子看板）、パチンコ機などの大型ゲーム機などの比較的大きな画面を備える電子機器の他、デジタルカメラ、デジタルビデオカメラ、デジタルフォトフレーム、携帯電話機、携帯型ゲーム機、携帯情報端末、音響再生装置、などが挙げられる。
【０３９３】
本実施の形態の電子機器は、家屋もしくはビルの内壁もしくは外壁、または、自動車の内装もしくは外装の曲面に沿って組み込むことができる。
【０３９４】
本実施の形態の電子機器は、アンテナを有していてもよい。アンテナで信号を受信することで、表示部で映像や情報等の表示を行うことができる。また、電子機器がアンテナ及び二次電池を有する場合、アンテナを、非接触電力伝送に用いてもよい。
【０３９５】
本実施の形態の電子機器は、センサ（力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を含むもの）を有していてもよい。
【０３９６】
本実施の形態の電子機器は、様々な機能を有することができる。例えば、様々な情報（静止画、動画、テキスト画像など）を表示部に表示する機能、タッチパネル機能、カレンダー、日付または時刻などを表示する機能、様々なソフトウェア（プログラム）を実行する機能、無線通信機能、記録媒体に記録されているプログラムまたはデータを読み出す機能等を有することができる。
【０３９７】
図２７（Ａ）にテレビジョン装置の一例を示す。テレビジョン装置７１００は、筐体７１０１に表示部７０００が組み込まれている。ここでは、スタンド７１０３により筐体７１０１を支持した構成を示している。
【０３９８】
表示部７０００に、本発明の一態様の表示装置を適用することができる。
【０３９９】
図２７（Ａ）に示すテレビジョン装置７１００の操作は、筐体７１０１が備える操作スイッチや、別体のリモコン操作機７１１１により行うことができる。または、表示部７０００にタッチセンサを備えていてもよく、指等で表示部７０００に触れることで操作してもよい。リモコン操作機７１１１は、当該リモコン操作機７１１１から出力する情報を表示する表示部を有していてもよい。リモコン操作機７１１１が備える操作キーまたはタッチパネルにより、チャンネル及び音量の操作を行うことができ、表示部７０００に表示される映像を操作することができる。
【０４００】
なお、テレビジョン装置７１００は、受信機及びモデムなどを備えた構成とする。受信機により一般のテレビ放送の受信を行うことができる。また、モデムを介して有線または無線による通信ネットワークに接続することにより、一方向（送信者から受信者）または双方向（送信者と受信者間、あるいは受信者間同士など）の情報通信を行うことも可能である。
【０４０１】
図２７（Ｂ）に、ノート型パーソナルコンピュータの一例を示す。ノート型パーソナルコンピュータ７２００は、筐体７２１１、キーボード７２１２、ポインティングデバイス７２１３、外部接続ポート７２１４等を有する。筐体７２１１に、表示部７０００が組み込まれている。
【０４０２】
表示部７０００に、本発明の一態様の表示装置を適用することができる。
【０４０３】
図２７（Ｃ）、（Ｄ）に、デジタルサイネージの一例を示す。
【０４０４】
図２７（Ｃ）に示すデジタルサイネージ７３００は、筐体７３０１、表示部７０００、及びスピーカ７３０３等を有する。さらに、ＬＥＤランプ、操作キー（電源スイッチ、または操作スイッチを含む）、接続端子、各種センサ、マイクロフォン等を有することができる。
【０４０５】
図２７（Ｄ）は円柱状の柱７４０１に取り付けられたデジタルサイネージ７４００である。デジタルサイネージ７４００は、柱７４０１の曲面に沿って設けられた表示部７０００を有する。
【０４０６】
図２７（Ｃ）、（Ｄ）において、表示部７０００に、本発明の一態様の表示装置を適用することができる。
【０４０７】
表示部７０００が広いほど、一度に提供できる情報量を増やすことができる。また、表示部７０００が広いほど、人の目につきやすく、例えば、広告の宣伝効果を高めることができる。
【０４０８】
表示部７０００にタッチパネルを適用することで、表示部７０００に画像または動画を表示するだけでなく、使用者が直感的に操作することができ、好ましい。また、路線情報もしくは交通情報などの情報を提供するための用途に用いる場合には、直感的な操作によりユーザビリティを高めることができる。
【０４０９】
また、図２７（Ｃ）、（Ｄ）に示すように、デジタルサイネージ７３００またはデジタルサイネージ７４００は、ユーザが所持するスマートフォン等の情報端末機７３１１または情報端末機７４１１と無線通信により連携可能であることが好ましい。例えば、表示部７０００に表示される広告の情報を、情報端末機７３１１または情報端末機７４１１の画面に表示させることができる。また、情報端末機７３１１または情報端末機７４１１を操作することで、表示部７０００の表示を切り替えることができる。
【０４１０】
また、デジタルサイネージ７３００またはデジタルサイネージ７４００に、情報端末機７３１１または情報端末機７４１１の画面を操作手段（コントローラ）としたゲームを実行させることもできる。これにより、不特定多数のユーザが同時にゲームに参加し、楽しむことができる。
【０４１１】
本実施の形態は、他の実施の形態と適宜組み合わせることができる。
【０４１２】
（実施の形態５）
本実施の形態では、本発明の一態様のテレビジョン装置について、図２８を用いて説明する。
【０４１３】
図２８（Ａ）に、テレビジョン装置６００のブロック図を示す。
【０４１４】
なお、本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【０４１５】
テレビジョン装置６００は、制御部６０１、記憶部６０２、通信制御部６０３、画像処理回路６０４、デコーダ回路６０５、映像信号受信部６０６、タイミングコントローラ６０７、ソースドライバ６０８、ゲートドライバ６０９、表示パネル６２０等を有する。
【０４１６】
実施の形態１で例示した表示装置は、図２８（Ａ）における表示パネル６２０に適用することができる。これにより、大型かつ高解像度であって、高い表示品位を有するテレビジョン装置６００を実現できる。
【０４１７】
制御部６０１は、例えば中央演算装置（ＣＰＵ：Ｃｅｎｔｒａｌ  Ｐｒｏｃｅｓｓｉｎｇ  Ｕｎｉｔ）として機能することができる。例えば制御部６０１は、システムバス６３０を介して記憶部６０２、通信制御部６０３、画像処理回路６０４、デコーダ回路６０５、及び映像信号受信部６０６等のコンポーネントを制御する機能を有する。
【０４１８】
制御部６０１と各コンポーネントとは、システムバス６３０を介して信号の伝達が行われる。また制御部６０１は、システムバス６３０を介して接続された各コンポーネントから入力される信号を処理する機能、各コンポーネントへ出力する信号を生成する機能等を有し、これによりシステムバス６３０に接続された各コンポーネントを統括的に制御することができる。
【０４１９】
記憶部６０２は、制御部６０１及び画像処理回路６０４がアクセス可能なレジスタ、キャッシュメモリ、メインメモリ、二次メモリなどとして機能する。
【０４２０】
二次メモリとして用いることのできる記憶装置としては、例えば書き換え可能な不揮発性の記憶素子が適用された記憶装置を用いることができる。例えば、フラッシュメモリ、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＰＲＡＭ（Ｐｈａｓｅ  ｃｈａｎｇｅ  ＲＡＭ）、ＲｅＲＡＭ（Ｒｅｓｉｓｔｉｖｅ  ＲＡＭ）、ＦｅＲＡＭ（Ｆｅｒｒｏｅｌｅｃｔｒｉｃ  ＲＡＭ）などを用いることができる。
【０４２１】
また、レジスタ、キャッシュメモリ、メインメモリなどの一時メモリとして用いることのできる記憶装置としては、ＤＲＡＭ（Ｄｙｎａｍｉｃ  ＲＡＭ）や、ＳＲＡＭ（Ｓｔａｔｉｃ  Ｒａｎｄｏｍ  Ａｃｃｅｓｓ  Ｍｅｍｏｒｙ）等の揮発性の記憶素子を用いてもよい。
【０４２２】
例えば、メインメモリに設けられるＲＡＭとしては、例えばＤＲＡＭが用いられ、制御部６０１の作業空間として仮想的にメモリ空間が割り当てられ利用される。記憶部６０２に格納されたオペレーティングシステム、アプリケーションプログラム、プログラムモジュール、プログラムデータ等は、実行のためにＲＡＭにロードされる。ＲＡＭにロードされたこれらのデータやプログラム、プログラムモジュールは、制御部６０１に直接アクセスされ、操作される。
【０４２３】
一方、ＲＯＭには書き換えを必要としないＢＩＯＳ（Ｂａｓｉｃ  Ｉｎｐｕｔ／Ｏｕｔｐｕｔ  Ｓｙｓｔｅｍ）やファームウェア等を格納することができる。ＲＯＭとしては、マスクＲＯＭや、ＯＴＰＲＯＭ（Ｏｎｅ  Ｔｉｍｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）等を用いることができる。ＥＰＲＯＭとしては、紫外線照射により記憶データの消去を可能とするＵＶ−ＥＰＲＯＭ（Ｕｌｔｒａ−Ｖｉｏｌｅｔ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュメモリなどが挙げられる。
【０４２４】
また、記憶部６０２の他に、取り外し可能な記憶装置を接続可能な構成としてもよい。例えばストレージデバイスとして機能するハードディスクドライブ（Ｈａｒｄ  Ｄｉｓｋ  Ｄｒｉｖｅ：ＨＤＤ）やソリッドステートドライブ（Ｓｏｌｉｄ  Ｓｔａｔｅ  Ｄｒｉｖｅ：ＳＳＤ）などの記録メディアドライブ、フラッシュメモリ、ブルーレイディスク、ＤＶＤなどの記録媒体と接続する端子を有することが好ましい。これにより、映像を記録することができる。
【０４２５】
通信制御部６０３は、コンピュータネットワークを介して行われる通信を制御する機能を有する。例えば、制御部６０１からの命令に応じてコンピュータネットワークに接続するための制御信号を制御し、当該信号をコンピュータネットワークに発信する。これによって、Ｗｏｒｌｄ  Ｗｉｄｅ  Ｗｅｂ（ＷＷＷ）の基盤であるインターネット、イントラネット、エクストラネット、ＰＡＮ（Ｐｅｒｓｏｎａｌ  Ａｒｅａ  Ｎｅｔｗｏｒｋ）、ＬＡＮ（Ｌｏｃａｌ  Ａｒｅａ  Ｎｅｔｗｏｒｋ）、ＣＡＮ（Ｃａｍｐｕｓ  Ａｒｅａ  Ｎｅｔｗｏｒｋ）、ＭＡＮ（Ｍｅｔｒｏｐｏｌｉｔａｎ  Ａｒｅａ  Ｎｅｔｗｏｒｋ）、ＷＡＮ（Ｗｉｄｅ  Ａｒｅａ  Ｎｅｔｗｏｒｋ）、ＧＡＮ（Ｇｌｏｂａｌ  Ａｒｅａ  Ｎｅｔｗｏｒｋ）等のコンピュータネットワークに接続し、通信を行うことができる。
【０４２６】
また、通信制御部６０３は、Ｗｉ−Ｆｉ（登録商標）、Ｂｌｕｅｔｏｏｔｈ（登録商標）、ＺｉｇＢｅｅ（登録商標）等の通信規格を用いてコンピュータネットワークまたは他の電子機器と通信する機能を有していてもよい。
【０４２７】
通信制御部６０３は、無線により通信する機能を有していてもよい。例えばアンテナと高周波回路（ＲＦ回路）を設け、ＲＦ信号の送受信を行えばよい。高周波回路は、各国法制により定められた周波数帯域の電磁信号と電気信号とを相互に変換し、当該電磁信号を用いて無線で他の通信機器との間で通信を行うための回路である。実用的な周波数帯域として数１０ｋＨｚ〜数１０ＧＨｚが一般に用いられている。アンテナと接続される高周波回路には、複数の周波数帯域に対応した高周波回路部を有し、高周波回路部は、増幅器（アンプ）、ミキサ、フィルタ、ＤＳＰ、ＲＦトランシーバ等を有する構成とすることができる。
【０４２８】
映像信号受信部６０６は、例えばアンテナ、復調回路、及びＡ−Ｄ変換回路（アナログ−デジタル変換回路）等を有する。復調回路は、アンテナから入力した信号を復調する機能を有する。またＡ−Ｄ変換回路は、復調されたアナログ信号をデジタル信号に変換する機能を有する。映像信号受信部６０６で処理された信号は、デコーダ回路６０５に送られる。
【０４２９】
デコーダ回路６０５は、映像信号受信部６０６から入力されるデジタル信号に含まれる映像データを、送信される放送規格の仕様に従ってデコードし、画像処理回路に送信する信号を生成する機能を有する。例えば８Ｋ放送における放送規格としては、Ｈ．２６５  ｜  ＭＰＥＧ−Ｈ  Ｈｉｇｈ  Ｅｆｆｉｃｉｅｎｃｙ  Ｖｉｄｅｏ  Ｃｏｄｉｎｇ（略称：ＨＥＶＣ）などがある。
【０４３０】
映像信号受信部６０６が有するアンテナにより受信できる放送電波としては、地上波、または衛星から送信される電波などが挙げられる。またアンテナにより受信できる放送電波として、アナログ放送、デジタル放送などがあり、また映像及び音声、または音声のみの放送などがある。例えばＵＨＦ帯（約３００ＭＨｚ〜３ＧＨｚ）またはＶＨＦ帯（３０ＭＨｚ〜３００ＭＨｚ）のうちの特定の周波数帯域で送信される放送電波を受信することができる。また例えば、複数の周波数帯域で受信した複数のデータを用いることで、転送レートを高くすることができ、より多くの情報を得ることができる。これによりフルハイビジョンを超える解像度を有する映像を、表示パネル６２０に表示させることができる。例えば、４Ｋ２Ｋ、８Ｋ４Ｋ、１６Ｋ８Ｋ、またはそれ以上の解像度を有する映像を表示させることができる。
【０４３１】
また、映像信号受信部６０６及びデコーダ回路６０５は、コンピュータネットワークを介したデータ伝送技術により送信された放送のデータを用いて、画像処理回路６０４に送信する信号を生成する構成としてもよい。このとき、受信する信号がデジタル信号の場合には、映像信号受信部６０６は復調回路及びＡ−Ｄ変換回路等を有していなくてもよい。
【０４３２】
画像処理回路６０４は、デコーダ回路６０５から入力される映像信号に基づいて、タイミングコントローラ６０７に出力する映像信号を生成する機能を有する。
【０４３３】
タイミングコントローラ６０７は、画像処理回路６０４が処理を施した映像信号等に含まれる同期信号を基に、ゲートドライバ６０９及びソースドライバ６０８に出力する信号（クロック信号、スタートパルス信号などの信号）を生成する機能を有する。また、タイミングコントローラ６０７は、上記信号に加え、ソースドライバ６０８に出力するビデオ信号を生成する機能を有する。
【０４３４】
表示パネル６２０は、複数の画素６２１を有する。各画素６２１は、ゲートドライバ６０９及びソースドライバ６０８から供給される信号により駆動される。ここでは、画素数が７６８０×４３２０である、８Ｋ４Ｋ規格に応じた解像度を有する表示パネルの例を示している。なお、表示パネル６２０の解像度はこれに限られず、フルハイビジョン（画素数１９２０×１０８０）または４Ｋ２Ｋ（画素数３８４０×２１６０）等の規格に応じた解像度であってもよい。
【０４３５】
図２８（Ａ）に示す制御部６０１や画像処理回路６０４としては、例えばプロセッサを有する構成とすることができる。例えば、制御部６０１は、ＣＰＵとして機能するプロセッサを用いることができる。また、画像処理回路６０４として、例えばＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）等の他のプロセッサを用いることができる。また制御部６０１や画像処理回路６０４に、上記プロセッサをＦＰＧＡ（Ｆｉｅｌｄ  Ｐｒｏｇｒａｍｍａｂｌｅ  Ｇａｔｅ  Ａｒｒａｙ）やＦＰＡＡ（Ｆｉｅｌｄ  Ｐｒｏｇｒａｍｍａｂｌｅ  Ａｎａｌｏｇ  Ａｒｒａｙ）といったＰＬＤ（Ｐｒｏｇｒａｍｍａｂｌｅ  Ｌｏｇｉｃ  Ｄｅｖｉｃｅ）によって実現した構成としてもよい。
【０４３６】
プロセッサは、種々のプログラムからの命令を解釈し実行することで、各種のデータ処理やプログラム制御を行う。プロセッサにより実行しうるプログラムは、プロセッサが有するメモリ領域に格納されていてもよいし、別途設けられる記憶装置に格納されていてもよい。
【０４３７】
また、制御部６０１、記憶部６０２、通信制御部６０３、画像処理回路６０４、デコーダ回路６０５、及び映像信号受信部６０６、及びタイミングコントローラ６０７のそれぞれが有する機能のうち、２つ以上の機能を１つのＩＣチップに集約させ、システムＬＳＩを構成してもよい。例えば、プロセッサ、デコーダ回路、チューナ回路、Ａ−Ｄ変換回路、ＤＲＡＭ、及びＳＲＡＭ等を有するシステムＬＳＩとしてもよい。
【０４３８】
なお、制御部６０１や、他のコンポーネントが有するＩＣ等に、チャネル形成領域に酸化物半導体を用い、極めて低いオフ電流が実現されたトランジスタを利用することもできる。当該トランジスタは、オフ電流が極めて低いため、当該トランジスタを記憶素子として機能する容量素子に流入した電荷（データ）を保持するためのスイッチとして用いることで、データの保持期間を長期にわたり確保することができる。この特性を制御部６０１等のレジスタやキャッシュメモリに用いることで、必要なときだけ制御部６０１を動作させ、他の場合には直前の処理の情報を当該記憶素子に待避させることにより、ノーマリーオフコンピューティングが可能となる。これにより、テレビジョン装置６００の低消費電力化を図ることができる。
【０４３９】
なお、図２８（Ａ）のテレビジョン装置６００の構成は一例であり、全ての構成要素を含む必要はない。テレビジョン装置６００は、図２８（Ａ）に示す構成要素のうち必要な構成要素を有していればよい。また、テレビジョン装置６００は、図２８（Ａ）に示す構成要素以外の構成要素を有していてもよい。
【０４４０】
例えば、テレビジョン装置６００は、図２８（Ａ）に示す構成のほか、外部インターフェース、音声出力部、タッチパネルユニット、センサユニット、カメラユニットなどを有していてもよい。例えば外部インターフェースとしては、例えばＵＳＢ（Ｕｎｉｖｅｒｓａｌ  Ｓｅｒｉａｌ  Ｂｕｓ）端子、ＬＡＮ（Ｌｏｃａｌ  Ａｒｅａ  Ｎｅｔｗｏｒｋ）接続用端子、電源受給用端子、音声出力用端子、音声入力用端子、映像出力用端子、映像入力用端子などの外部接続端子、赤外線、可視光、紫外線などを用いた光通信用の送受信機、筐体に設けられた物理ボタンなどがある。また、例えば音声入出力部としては、サウンドコントローラ、マイクロフォン、スピーカなどがある。
【０４４１】
以下では、画像処理回路６０４についてより詳細な説明を行う。
【０４４２】
画像処理回路６０４は、デコーダ回路６０５から入力される映像信号に基づいて、画像処理を実行する機能を有することが好ましい。
【０４４３】
画像処理としては、例えばノイズ除去処理、階調変換処理、色調補正処理、輝度補正処理などが挙げられる。色調補正処理や輝度補正処理としては、例えばガンマ補正などがある。
【０４４４】
また、画像処理回路６０４は、解像度のアップコンバートに伴う画素間補間処理や、フレーム周波数のアップコンバートに伴うフレーム間補間処理などの処理を実行する機能を有していることが好ましい。
【０４４５】
例えば、ノイズ除去処理としては、文字などの輪郭の周辺に生じるモスキートノイズ、高速の動画で生じるブロックノイズ、ちらつきを生じるランダムノイズ、解像度のアップコンバートにより生じるドットノイズなどのさまざまなノイズを除去する。
【０４４６】
階調変換処理は、画像の階調を表示パネル６２０の出力特性に対応した階調へ変換する処理である。例えば階調数を大きくする場合、小さい階調数で入力された画像に対して、各画素に対応する階調値を補間して割り当てることで、ヒストグラムを平滑化する処理を行うことができる。また、ダイナミックレンジを広げる、ハイダイナミックレンジ（ＨＤＲ）処理も、階調変換処理に含まれる。
【０４４７】
また、画素間補間処理は、解像度をアップコンバートした際に、本来存在しないデータを補間する。例えば、目的の画素の周囲の画素を参照し、それらの中間色を表示するようにデータを補間する。
【０４４８】
また、色調補正処理は、画像の色調を補正する処理である。また輝度補正処理は、画像の明るさ（輝度コントラスト）を補正する処理である。例えば、テレビジョン装置６００が設けられる空間の照明の種類や輝度、または色純度などを検知し、それに応じて表示パネル６２０に表示する画像の輝度や色調が最適となるように補正する。または、表示する画像と、あらかじめ保存してある画像リスト内の様々な場面の画像と、を照合し、最も近い場面の画像に適した輝度や色調に表示する画像を補正する機能を有していてもよい。
【０４４９】
フレーム間補間は、表示する映像のフレーム周波数を増大させる場合に、本来存在しないフレーム（補間フレーム）の画像を生成する。例えば、ある２枚の画像の差分から２枚の画像の間に挿入する補間フレームの画像を生成する。または２枚の画像の間に複数枚の補間フレームの画像を生成することもできる。例えばデコーダ回路６０５から入力される映像信号のフレーム周波数が６０Ｈｚであったとき、複数枚の補間フレームを生成することで、タイミングコントローラ６０７に出力する映像信号のフレーム周波数を、２倍の１２０Ｈｚ、または４倍の２４０Ｈｚ、または８倍の４８０Ｈｚなどに増大させることができる。
【０４５０】
また、画像処理回路６０４は、ニューラルネットワークを利用して、画像処理を実行する機能を有していることが好ましい。図２８（Ａ）では、画像処理回路６０４がニューラルネットワーク６１０を有している例を示している。
【０４５１】
例えば、ニューラルネットワーク６１０により、例えば映像に含まれる画像データから特徴抽出を行うことができる。また画像処理回路６０４は、抽出された特徴に応じて最適な補正方法を選択することや、または補正に用いるパラメータを選択することができる。
【０４５２】
または、ニューラルネットワーク６１０自体に画像処理を行う機能を持たせてもよい。すなわち、画像処理を施す前の画像データをニューラルネットワーク６１０に入力することで、画像処理が施された画像データを出力させる構成としてもよい。
【０４５３】
また、ニューラルネットワーク６１０に用いる重み係数のデータは、データテーブルとして記憶部６０２に格納される。当該重み係数を含むデータテーブルは、例えば通信制御部６０３により、コンピュータネットワークを介して最新のものに更新することができる。または、画像処理回路６０４が学習機能を有し、重み係数を含むデータテーブルを更新可能な構成としてもよい。
【０４５４】
図２８（Ｂ）に、画像処理回路６０４が有するニューラルネットワーク６１０の概略図を示す。
【０４５５】
なお、本明細書等においてニューラルネットワークとは、生物の神経回路網を模し、学習によってニューロンどうしの結合強度を決定し、問題解決能力を持たせるモデル全般を指す。ニューラルネットワークは入力層、中間層（隠れ層ともいう）、出力層を有する。ニューラルネットワークのうち、２層以上の中間層を有するものをディープニューラルネットワーク（ＤＮＮ）と呼称し、ディープニューラルネットワークによる学習を「ディープラーニング」と呼称する。
【０４５６】
また、本明細書等において、ニューラルネットワークについて述べる際に、既にある情報からニューロンとニューロンの結合強度（重み係数とも言う）を決定することを「学習」と呼ぶ場合がある。また、本明細書等において、学習によって得られた結合強度を用いてニューラルネットワークを構成し、そこから新たな結論を導くことを「推論」と呼ぶ場合がある。
【０４５７】
ニューラルネットワーク６１０は、入力層６１１、１つ以上の中間層６１２、及び出力層６１３を有する。入力層６１１には入力データが入力される。出力層６１３からは出力データが出力される。
【０４５８】
入力層６１１、中間層６１２、及び出力層６１３は、それぞれニューロン６１５を有する。ここでニューロン６１５は、積和演算を実現しうる回路素子（積和演算素子）を指す。図２８（Ｂ）では、２つの層が有する２つのニューロン６１５間におけるデータの入出力方向を矢印で示している。
【０４５９】
それぞれの層における演算処理は、前層が有するニューロン６１５の出力と重み係数との積和演算により実行される。例えば、入力層６１１の第ｉ番目のニューロンの出力をｘｉとし、出力ｘｉと次の中間層６１２の第ｊニューロンとの結合強度（重み係数）をｗｊｉとすると、当該中間層の第ｊニューロンの出力はｙｊ＝ｆ（Σｗｊｉ・ｘｉ）である。なお、ｉ、ｊは１以上の整数とする。ここで、ｆ（ｘ）は活性化関数でシグモイド関数、閾値関数などを用いることができる。以下同様に、各層のニューロン６１５の出力は、前段層のニューロン６１５の出力と重み係数の積和演算結果に活性化関数を演算した値となる。また、層と層との結合は、全てのニューロン同士が結合する全結合としてもよいし、一部のニューロン同士が結合する部分結合としてもよい。
【０４６０】
図２８（Ｂ）では、３つの中間層６１２を有する例を示している。なお、中間層６１２の数はこれに限られず、１つ以上の中間層を有していればよい。また、１つの中間層６１２が有するニューロンの数も、仕様に応じて適宜変更すればよい。例えば１つの中間層６１２が有するニューロン６１５の数は、入力層６１１または出力層６１３が有するニューロン６１５の数よりも多くてもよいし、少なくてもよい。
【０４６１】
ニューロン６１５同士の結合強度の指標となる重み係数は、学習によって決定される。学習は、テレビジョン装置６００が有するプロセッサにより実行してもよいが、専用サーバーやクラウドなどの演算処理能力の優れた計算機で実行することが好ましい。学習により決定された重み係数は、テーブルとして上記記憶部６０２に格納され、画像処理回路６０４により読み出されることにより使用される。また、当該テーブルは、必要に応じてコンピュータネットワークを介して更新することができる。
【０４６２】
本実施の形態は、他の実施の形態と適宜組み合わせることができる。
【符号の説明】
【０４６３】
１００    表示装置
１０１    表示部
１０１ａ〜１０１ｄ    領域
１０２    走査線駆動回路
１０３    走査線駆動回路
１０８    分割縞
１１０    領域
１１０ａ〜１１０ｄ    領域
１１１    基板
１１３    基板
１１５    画素
１３０ａ〜１３０ｈ    端子群
１３５ａ〜１３５ｈ    端子
１５０ａ、１５０ｂ    プリント基板
１５１ａ〜１５１ｄ    タイミングコントローラ
１５２ａ〜１５２ｄ    基準電圧生成回路
１６０ａ〜１６０ｈ    ＩＣ
【図１】
2018124551.tif 000003
【図２】
2018124551.tif 000004
【図３】
2018124551.tif 000005
【図４】
2018124551.tif 000006
【図５】
2018124551.tif 000007
【図６】
2018124551.tif 000008
【図７】
2018124551.tif 000009
【図８】
2018124551.tif 000010
【図９】
2018124551.tif 000011
【図１０】
2018124551.tif 000012
【図１１】
2018124551.tif 000013
【図１２】
2018124551.tif 000014
【図１３】
2018124551.tif 000015
【図１４】
2018124551.tif 000016
【図１５】
2018124551.tif 000017
【図１６】
2018124551.tif 000018
【図１７】
2018124551.tif 000019
【図１８】
2018124551.tif 000020
【図１９】
2018124551.tif 000021
【図２０】
2018124551.tif 000022
【図２１】
2018124551.tif 000023
【図２２】
2018124551.tif 000024
【図２３】
2018124551.tif 000025
【図２４】
2018124551.tif 000026
【図２５】
2018124551.tif 000027
【図２６】
2018124551.tif 000028
【図２７】
2018124551.tif 000029
【図２８】
2018124551.tif 000030